(57)【要約】【課題】デジタルカメラの表示画面を容易にカスタマイズすることが可能な技術を提供する。【解決手段】デジタルカメラの表示画面についてのカスタマイズデータを作成するデータ作成装置は、デジタルカメラの表示画面を模擬的に表示する表示部と、位置指定コマンドを入力するマウスとを備えている。また、データ作成装置は、マウス等によって入力された位置指定コマンドに応じて、デジタルカメラの表示画面についてのカスタマイズデータを作成する。データ作成装置の表示部の右側においては、デジタルカメラのＥＶＦおよびＬＣＤの双方を模擬的に表示したプレビュー画面が表示され、左側には設定項目が列挙される。ユーザは、表示部に表示されたプレビュー画面等を見ながら、マウス操作によってカスタマイズ処理を行う。カスタマイズデータは、デジタルカメラ等に転送されて記憶される。【選択図】　　　　図５４
2004104335.tif 000002
【特許請求の範囲】
【請求項１】
コンピュータを、デジタルカメラの表示画面についてのカスタマイズデータを作成するデータ作成装置として機能させるプログラムであって、前記コンピュータを、
前記デジタルカメラの少なくとも１つの表示部の表示領域よりも大きな表示領域を有し、かつ、前記デジタルカメラの少なくとも１つの表示部における表示画面を模擬的に表示する表示手段と、
前記表示手段における位置を指定することに基づくコマンドを入力する入力手段と、
前記コマンドに応じて、前記デジタルカメラの表示画面についてのカスタマイズデータを作成するデータ作成手段と、
を備えるデータ作成装置として機能させるためのプログラム。
【請求項２】
請求項１に記載のプログラムにおいて、
前記カスタマイズデータは、前記デジタルカメラに対して挿抜自在な記録媒体に記憶されることを特徴とするプログラム。
【請求項３】
請求項１に記載のプログラムにおいて、
前記カスタマイズデータは、前記コンピュータに接続された前記デジタルカメラに対して転送され、前記デジタルカメラの設定記憶手段に記憶されることを特徴とするプログラム。
【請求項４】
請求項１ないし請求項３のいずれかに記載のプログラムにおいて、
前記デジタルカメラの少なくとも１つの表示部は、複数の表示部を有しており、
前記表示手段は、前記複数の表示部における表示画面をそれぞれ模擬的に表示し、
前記データ作成手段は、前記複数の表示部のそれぞれにおける表示画面をカスタマイズするカスタマイズデータを作成することが可能であることを特徴とするプログラム。
【請求項５】
デジタルカメラの表示画面をカスタマイズすることが可能なデジタルカメラシステムであって、
表示画面を有するデジタルカメラと、
コンピュータを、前記表示画面についてのカスタマイズデータを作成するデータ作成装置として機能させるプログラムと、
を備え、
前記プログラムは、前記コンピュータを、
前記デジタルカメラの少なくとも１つの表示部の表示領域よりも大きな表示領域を有し、かつ、前記デジタルカメラの少なくとも１つの表示部における表示画面を模擬的に表示する表示手段と、
前記表示手段における位置を指定することに基づくコマンドを入力する入力手段と、
前記コマンドに応じて、前記デジタルカメラの表示画面についてのカスタマイズデータを作成するデータ作成手段と、
を備えるデータ作成装置として機能させるためのプログラムであることを特徴とするシステム。
【発明の詳細な説明】
【０００１】
【発明の属する技術分野】
本発明は、デジタルカメラの表示画面のカスタマイズを行うシステムおよびプログラムに関する。
【０００２】
【従来の技術】
デジタルカメラの表示画面においては、たとえば、絞りおよびシャッタスピードなどの撮影状態を示す情報に代表されるような様々な情報が表示される。特に、近年、デジタルカメラの高機能化が進んでおり、表示画面に表示すべき情報量は増加する傾向にある。
【０００３】
一方で、デジタルカメラは携帯装置であるため、小型であることが要求される。したがって、表示部の大きさには制約があり、限られた表示サイズの中で様々な情報を表示することになる。
【０００４】
しかしながら、このような限られた表示サイズの中で、様々な情報を多数のユーザが見やすいと感じるように配置して表示することは困難である。
【０００５】
そのため、ユーザ（操作者）のニーズに応じて、デジタルカメラの表示における内容をカスタマイズすることが望まれる。
【０００６】
このようなカスタマイズ技術としては、下記の特許文献１および特許文献２に開示される技術が存在する。これらの特許文献１，２には、スクリプトファイルを用いる技術が開示されている。より具体的には、ＨＴＭＬ形式のスクリプトファイルに記述されたスクリプトにしたがって、表示画面をユーザの要求に合わせてカスタマイズする技術が開示されている。
【０００７】
【特許文献１】
特開２００１−１９７３４０号公報
【特許文献２】
特表２００２−５１１７１７号公報
【０００８】
【発明が解決しようとする課題】
上記のようなスクリプトファイルにおいては、表示画面をカスタマイズするための各種のコマンドが、文字等を用いたスクリプトによって記述される。そのため、表示画面をカスタマイズするためには、このスクリプトにおける特定のコマンド体系および文法に習熟することが求められる。
【０００９】
しかしながら、スクリプトに習熟していないユーザにとっては、カスタマイズ作業は、非常に困難でありかつ長時間を要する作業になってしまう。特に、スクリプトを知らないユーザは、カスタマイズすること自体が困難になってしまう。
【００１０】
そこで、本発明は前記問題点に鑑み、デジタルカメラの表示画面を容易にカスタマイズすることが可能な技術（より詳細には、デジタルカメラシステムおよびプログラム）を提供することを目的とする。
【００１１】
【課題を解決するための手段】
上記目的を達成するため、請求項１の発明は、コンピュータを、デジタルカメラの表示画面についてのカスタマイズデータを作成するデータ作成装置として機能させるプログラムであって、前記コンピュータを、前記デジタルカメラの少なくとも１つの表示部の表示領域よりも大きな表示領域を有し、かつ、前記デジタルカメラの少なくとも１つの表示部における表示画面を模擬的に表示する表示手段と、前記表示手段における位置を指定することに基づくコマンドを入力する入力手段と、前記コマンドに応じて、前記デジタルカメラの表示画面についてのカスタマイズデータを作成するデータ作成手段と、を備えるデータ作成装置として機能させるためのプログラムであることを特徴とする。
【００１２】
請求項２の発明は、請求項１の発明に係るプログラムにおいて、前記カスタマイズデータは、前記デジタルカメラに対して挿抜自在な記録媒体に記憶されることを特徴とする。
【００１３】
請求項３の発明は、請求項１の発明に係るプログラムにおいて、前記カスタマイズデータは、前記コンピュータに接続された前記デジタルカメラに対して転送され、前記デジタルカメラの設定記憶手段に記憶されることを特徴とする。
【００１４】
請求項４の発明は、請求項１ないし請求項３のいずれかの発明に係るプログラムにおいて、前記デジタルカメラの少なくとも１つの表示部は、複数の表示部を有しており、前記表示手段は、前記複数の表示部における表示画面をそれぞれ模擬的に表示し、前記データ作成手段は、前記複数の表示部のそれぞれにおける表示画面をカスタマイズするカスタマイズデータを作成することが可能であることを特徴とする。
【００１５】
請求項５の発明は、デジタルカメラの表示画面をカスタマイズすることが可能なデジタルカメラシステムであって、表示画面を有するデジタルカメラと、コンピュータを、前記表示画面についてのカスタマイズデータを作成するデータ作成装置として機能させるプログラムと、を備え、前記プログラムは、前記コンピュータを、前記デジタルカメラの少なくとも１つの表示部の表示領域よりも大きな表示領域を有し、かつ、前記デジタルカメラの少なくとも１つの表示部における表示画面を模擬的に表示する表示手段と、前記表示手段における位置を指定することに基づくコマンドを入力する入力手段と、前記コマンドに応じて、前記デジタルカメラの表示画面についてのカスタマイズデータを作成するデータ作成手段と、を備えるデータ作成装置として機能させるためのプログラムであることを特徴とする。
【００１６】
【発明の実施の形態】
以下、この発明の実施の形態について図面を参照しつつ詳細に説明する。
【００１７】
＜Ａ．構成＞
＜デジタルカメラ＞
図１、図２及び図３は、本発明の実施形態に係るデジタルカメラ１の外観構成を示す図であり、図１は正面図、図２は上面図、図３は背面図に相当する。これらの図は必ずしも三角図法に則っているものではなく、デジタルカメラ１の外観を例示することを主眼としている。
【００１８】
デジタルカメラ１の正面側には撮影レンズ２が設けられる。この撮影レンズ２はズーム機能を有しており、ズームリング２ａを手動操作で回動させることによって撮影倍率の変更を行うことができるように構成される。
【００１９】
また、デジタルカメラ１のグリップ部１ａの上部にはシャッタボタン（レリーズボタン）９が設けられており、該シャッタボタン９はユーザによる半押し状態（以下、状態ＳＴ１とも称する）と全押し状態（以下、状態ＳＴ２とも称する）とを区別して検出可能な２段階押し込みスイッチとなっており、自動合焦モードが設定されている場合には半押し状態ＳＴ１のときに自動合焦制御を開始し、全押し状態ＳＴ２のときに記録用画像を撮影するための本撮影動作を開始する。
【００２０】
また、デジタルカメラ１の上面には、「撮影モード」と「再生モード」とを切替設定するモード切替え用のダイヤル３が設けられている。撮影モードは被写体の撮影を行って画像データの生成を行うモードである。また、再生モードはメモリカード９０に記録された画像データを、デジタルカメラ１の背面側に設けられた液晶表示部（以下、ＬＣＤという。）５に再生表示するモードである。
【００２１】
具体的には、撮影モードを示す「撮影」が表示された部分を所定の位置（図２の三角印ＭＴ）にまで回転移動させることによって、撮影モードに設定することができる。また、再生モードを示す「再生」が表示された部分を所定の位置（図２の三角印ＭＴ）にまで回転移動させることによって、再生モードに設定することができる。
【００２２】
また、このダイヤル３は、電源のオン操作およびオフ操作を受け付けるためにも用いられる。すなわち、ダイヤル３は電源操作部とも称することができる。具体的には、ダイヤル３の「ＯＦＦ」が表示されている部分を所定の位置（図２の三角印）にまで回転移動させることによって、電源をオフにする操作（電源オフ操作）が行われる。
【００２３】
デジタルカメラ１の背面には、本撮影動作前のライブビュー表示及び記録画像の再生表示等を行うためのＬＣＤ５と、電子ビューファインダ（以下、ＥＶＦという。）４とが設けられている。このＬＣＤ５およびＥＶＦ４では、それぞれカラー画像の表示が行われる。なお、以下の説明においてはＬＣＤ５およびＥＶＦ４がそれぞれ３２０×２４０の表示画素数を有する場合を例示する。
【００２４】
また、デジタルカメラ１の背面にはメニューボタン６が設けられており、例えば、撮影モード時にメニューボタン６が押下されて離されると（以下、単に押下と表現する）、各種撮影条件を設定するための各種メニュー画面がＬＣＤ５に表示される。また、デジタルカメラ１の背面には、ＬＣＤ５における表示カーソルを４方向に移動させるための十字カーソルボタン７Ｕ，７Ｄ，７Ｌ，７Ｒ、及び十字カーソルボタンの中央部に設けられる決定ボタン７Ｃで構成されるコントロールボタン７が設けられる。これらメニューボタン６及びコントロールボタン７を用いて各種撮影パラメータの設定操作が行われる。各種撮影パラメータの設定状態はデジタルカメラ１の上面側に配置されるデータパネル８に表示される。また、デジタルカメラ１の背面には、ライブビュー表示時にＬＣＤ５に表示される表示内容（特に撮影情報の表示状態）を切り替えるための切替ボタン１３が設けられている。
【００２５】
さらに、デジタルカメラ１の側面には、デジタルカメラ１の設定状態に関する操作を行うためのファンクション操作部１１が設けられている。このファンクション操作部１１は、中央部に設けられたファンクションボタン１１ａと、回動可能なように設けられたファンクションダイヤル１１ｂとを備えて構成される。また、ファンクション操作部１１の下部には、合焦モードを自動合焦モードと手動合焦モードとで切り替えるための合焦モード切替ボタン１２が設けられている。
【００２６】
また、デジタルカメラ１の側面には、挿抜自在（着脱自在）な記録媒体であるメモリカード９０の挿入装着部が設けられており、本撮影によって得られる画像データはこの挿入装着部にセットされるメモリカード９０に記録される。
【００２７】
次に、デジタルカメラ１の内部構成について説明する。図４は、デジタルカメラ１の内部機能を示すブロック図である。
【００２８】
撮影レンズ２はレンズ駆動部４１によって駆動され、ＣＣＤ撮像素子２０に結像される像の合焦状態を変化させるように構成される。自動合焦（オートフォーカス）設定時には全体制御部３０において画像から自動的に撮影レンズ２のレンズ駆動量が決定され、このレンズ駆動量に基づいて撮影レンズ２が駆動されるのに対し、手動合焦（マニュアルフォーカス）設定時にはユーザによるコントロールボタン７の操作量に応じてレンズ駆動量が決定され、このレンズ駆動量に基づいて撮影レンズ２が駆動される。
【００２９】
ＣＣＤ撮像素子２０は被写体像を撮影して電子的な画像信号を生成する撮像手段として機能するものであり、例えば２５６０×１９２０個の画素を有し、撮影レンズ２によって結像された被写体の光像を、画素毎にＲ（赤），Ｇ（緑），Ｂ（青）の色成分の画像信号（各画素で受光された画素信号の信号列からなる信号）に光電変換して出力する。タイミングジェネレータ４２は、ＣＣＤ撮像素子２０の駆動を制御するための各種のタイミングパルスを生成するものである。
【００３０】
ＣＣＤ撮像素子２０から得られる画像信号は信号処理回路２１に与えられ、信号処理回路２１において画像信号（アナログ信号）に対して所定のアナログ信号処理が施される。信号処理回路２１は相関二重サンプリング回路（ＣＤＳ）とオートゲインコントロール回路（ＡＧＣ）とを有しており、相関二重サンプリング回路により画像信号のノイズ低減処理を行い、オートゲインコントロール回路でゲインを調整することにより画像信号のレベル調整を行う。
【００３１】
Ａ／Ｄ変換器２２は、画像信号の各画素信号を１２ビットのデジタル信号に変換するものである。Ａ／Ｄ変換器２２は、全体制御部３０から入力されるＡ／Ｄ変換用のクロックに基づいて各画素信号（アナログ信号）を１２ビットのデジタル信号に変換する。変換後のデジタル信号は、画像データとして一時的に画像メモリ４４に格納される。そして、画像メモリ４４に保存された画像データに対して、次述するＷＢ回路２３、γ補正回路２４、色補正部２５、解像度変換部２６、圧縮・伸張部４６などによる各処理が施される。また、各処理後の画像データは、各処理の内容に応じて、再度画像メモリ４４に再格納されるか、あるいは、別の処理部に対して転送される。
【００３２】
ＷＢ（ホワイトバランス）回路２３は、Ｒ，Ｇ，Ｂの各色成分のレベル変換を行うものである。ＷＢ回路２３は、全体制御部３０で記憶されるレベル変換テーブルを用いてＲ，Ｇ，Ｂの各色成分のレベルを変換する。なお、レベル変換テーブルの各色成分のパラメータ（特性の傾き）は全体制御部３０により、オートまたはマニュアルで、撮影画像毎に設定される。γ補正回路２４は、画素データの階調を補正するものである。
【００３３】
色補正部２５は、γ補正回路２４から入力される画像データに対し、ユーザから設定された色補正に関するパラメータに基づいて色補正を行うとともに、ＲＧＢ色空間で表現されたカラー情報をＹＣｒＣｂ色空間で表現されたカラー情報に変換する。この表色系変換により、全画素について輝度成分値Ｙが得られることになる。
【００３４】
解像度変換部２６は、ＣＣＤ撮像素子２０から得られる画像データに対して所定の解像度変換を行うものである。
【００３５】
例えばライブビュー表示時にはＣＣＤ撮像素子２０から取得される画像データに対して、解像度変換部１６が所定の解像度変換を施し、ＬＣＤ５の表示画素数に適合した画像サイズの画像データ（３２０×２４０画素）、すなわちライブビュー画像を生成する。また、自動合焦時には、ライブビュー表示時とは異なり、ＡＦ評価領域に対応する画像成分の抽出が行われる。なお、本撮影時には解像度変換部２６は解像度変換処理を行うことなく、色補正部２５から得られる画像データをそのまま全体制御部３０に出力する。そして本撮影時に得られる画像データは全体制御部３０を介して画像メモリ４４に格納されることになる。
【００３６】
ライブビュー表示時には、解像度変換部２６によって所定の解像度変換が施された画像データは、全体制御部３０を介して画像合成部４３に与えられ、ＬＣＤ５及びＥＶＦ４に対してライブビュー画像の表示が行われるとともに、測光演算部２８にも与えられ、自動露出（ＡＥ）制御用の評価値が算出される。これに対し、自動合焦制御時には、全体制御部３０から指定されるＡＦ評価領域に対応する画像成分が抽出され、その画像成分の画像データがＡＦ評価値演算部２７に与えられ、自動合焦（ＡＦ）制御用の評価値が算出される。
【００３７】
ＡＦ評価値演算部２７はユーザによってシャッタボタン９が半押し状態とされた場合に機能し、コントラスト方式の自動合焦制御を行うための評価値演算動作が行われる。ここでは、ＡＦ評価領域に対応する画像成分について水平方向に隣接する２画素間での差分絶対値の総和がＡＦ用評価値として算出される。そしてＡＦ評価値演算部２７において算出されるＡＦ用評価値は全体制御部３０へと出力され、自動合焦制御が実現される。
【００３８】
測光演算部２８は、解像度変換部２６から出力される画像データを複数のブロックに分割し、各ブロックの代表輝度値に基づいてＡＥ用評価値を算出する。そして測光演算部２８において算出されるＡＥ用評価値は全体制御部３０へと出力され、全体制御部３０における自動露光制御に用いられる。
【００３９】
画像メモリ４４は、本撮影時にＣＣＤ撮像素子２０で取得され、上記の画像処理が施された画像データを一時的に記憶するメモリである。画像メモリ４４は、例えば数フレーム分の記憶容量を有している。そして本撮影後に画像のアフタービュー等が行われる場合には、画像メモリ４４から画像合成部４３に画像データが与えられ、撮影画像を確認するための画像表示が行われる。また、撮影後にユーザからの消去指示がない場合には、画像メモリ４４からメモリカード９０に対して画像データが転送され、画像データの記録保存が行われる。後述するように、転送記録動作の途中で電源オフ操作が行われた場合においても、この転送記録動作は、完了するまで継続される。これにより、撮影画像データの消失を防止することができる。
【００４０】
カードインタフェース（カードＩ／Ｆ）４７は、デジタルカメラ１側面の挿入装着部に対して装着されるメモリカード９０への画像データの書込み及び読出しを行うためのインタフェースである。メモリカード９０に対する画像データの読み書き時には、圧縮・伸張部４６において例えばＪＰＥＧ方式で画像データの圧縮処理又は伸張処理が行われる。また、外部接続インタフェース（外部接続Ｉ／Ｆ）４８は通信ケーブル等を介して外部コンピュータ９１と通信可能にするためのインタフェースであり、例えばＵＳＢ規格に準拠した通信用インタフェース等で実現される。これらカードＩ／Ｆ４７、外部接続Ｉ／Ｆ４８を介して、メモリカード９０や外部コンピュータ９１にセットされるＣＤ−ＲＯＭ等の記録媒体に記録される制御プログラムを、全体制御部３０のＲＡＭ３０ａ又はＲＯＭ３０ｂ内に取り込むことができる。そして全体制御部３０においてそのプログラムが実行されることにより、各種機能が実現される。
【００４１】
操作部４５は、上述したダイヤル３、メニューボタン６、コントロールボタン７、シャッタボタン９、ファンクション操作部１１、合焦モード切替ボタン１２、切替ボタン１３等を含む操作部であり、ユーザがデジタルカメラ１の設定状態を変更操作する際や撮影操作を行う際等に用いられる。
【００４２】
また、リアルタイムクロック４９は、いわゆる時計部である。リアルタイムクロック４９の計時機能により、デジタルカメラ１は現在時刻を認識することができる。
【００４３】
さらに、デジタルカメラ１は電池５１を駆動源としている。電池５１としては、例えば直列接続された４本の単三形乾電池を用いることができる。そして、電池５１からデジタルカメラ１内の各処理部への電力供給は、電力制御部５２によって制御される。
【００４４】
全体制御部３０は内部にＲＡＭ３０ａ及びＲＯＭ３０ｂを備えたマイクロコンピュータによって構成され、マイクロコンピュータが所定のプログラムを実行することにより、上記各部を統括的に制御する制御手段として機能する。なお、ＲＯＭ３０ｂは電気的にデータの書き換えが可能な不揮発性メモリである。
【００４５】
撮影モード時において、全体制御部３０はＣＣＤ撮像素子２０を駆動する駆動方式をタイミングジェネレータに指令する。特に、ユーザがシャッタボタン９を操作していないときには、全体制御部３０はライブビュー画像を取得するためにＣＣＤ撮像素子２０での撮影動作を繰り返すようにタイミングジェネレータに指令する。これによってＣＣＤ撮像素子２０ではライブビュー表示用の撮影画像（ライブビュー画像）が取得される。
【００４６】
そして全体制御部３０は、ユーザがフレーミング操作等の撮影準備を行う際に、ユーザが希望する、撮影を補助するための撮影情報をライブビュー画像とともに表示させるように構成される。後述するように、この撮影情報の表示内容等ついてはカスタマイズが可能である。
【００４７】
また、全体制御部３０は、デジタルカメラ１における電力供給動作を電力制御部５２を介して制御する。
【００４８】
＜デジタルカメラシステム＞
図５は、上述したデジタルカメラ１の表示部（ＬＣＤ５及びＥＶＦ４）の表示画面をカスタマイズすることが可能なデジタルカメラシステム１００を示す概念図である。このシステム１００は、デジタルカメラ１と、デジタルカメラ１の表示画面についてのカスタマイズデータを作成するデータ作成装置１０１とを備えている。
【００４９】
また、図５に示すように、データ作成装置１０１は、ＣＰＵ１０２、半導体メモリおよびハードディスクなどを含む記憶部１０３、各種の記録媒体から情報を読み出すメディアドライブ１０４、モニタ（ディスプレイ）などを含む表示部１０５、キーボード１０６、およびマウス（ポインティングデバイス）１０７などを備えるコンピュータシステム（単に「コンピュータ」とも称する）によって構成されている。また、メディアドライブ１０４は、ＣＤ−ＲＯＭ、ＤＶＤ（Ｄｉｇｉｔａｌ　Ｖｅｒｓａｔｉｌｅ　Ｄｉｓｋ）、フレキシブルディスク、メモリカードなどの可搬性の記録媒体１０９からその中に記録されている情報（たとえば、プログラムＰＧ１）を読み出すことができる。ここでは、メディアドライブ１０４として、ＤＶＤおよびＣＤ−ＲＯＭ等に対するアクセスが可能なＤＶＤドライブ１０４ａと、メモリカード９０に対するアクセスが可能なカードドライブ１０４ｂとを備えているものとする。カードドライブ１０４ｂは、各種のアダプタ等を用いることによって、様々な規格のカードに格納された情報にアクセスすることが可能である。
【００５０】
ここでは、データ作成装置１０１を、図５に示すような一般的なパーソナルコンピュータを用いて構成するものとする。より詳細には、プログラムＰＧ１をパーソナルコンピュータで実行することによって、このパーソナルコンピュータをデータ作成装置１０１として機能させる。たとえば、デジタルカメラ１の購入者は、デジタルカメラ１に添付されたＣＤ−ＲＯＭなどの記録媒体１０９に記録されたプログラムＰＧ１を、それ以前に購入済みのパーソナルコンピュータで実行することによって、そのパーソナルコンピュータをデータ作成装置１０１として機能させることができる。このように、システム１００は、デジタルカメラ１とプログラムＰＧ１とを備えるものとも表現することができる。
【００５１】
なお、プログラムＰＧ１は、記録媒体１０９を介して供給（ないし配給）される場合に限定されず、ＬＡＮやインターネットなどのネットワーク（通信回線）Ｎおよび通信部１０８を介して、このコンピュータに対して供給（ないし配給）されてもよい。
【００５２】
また、図６は、データ作成装置１０１の機能的構成を示す機能ブロック図である。図６に示すように、データ作成装置１０１は、マウス１０７などを含む入力部１１１からの入力に応じて、デジタルカメラ１のＥＶＦ４およびＬＣＤ５における各表示画面のカスタマイズ処理を行う。このカスタマイズ処理においては、プレビュー画面が表示部１０５に表示され、ユーザは、このプレビュー画面を見ながらカスタマイズ処理を行うことができる。データ作成装置１０１の各種機能については後述する。
【００５３】
＜Ｂ．動作＞
＜Ｂ１．デジタルカメラ１を用いた設定動作＞
＜動作概要＞
つぎに、デジタルカメラ１の表示部のカスタマイズ動作について説明する。このデジタルカメラ１においては、デジタルカメラ自身の表示部および操作部を用いてカスタマイズすることも可能であり、データ作成装置１０１の表示部および操作部を用いてカスタマイズすることも可能である。ここでは、まず、デジタルカメラ１自身の操作部４５および表示部４，５を用いてカスタマイズする場合について説明する。なお、後述するように、データ作成装置１０１を用いることによれば、より容易にカスタマイズデータを作成することができる。
【００５４】
図７および図８は、カスタマイズ処理の全体の流れを示すフローチャートである。また、図９〜図２１は、そのうちの一部の流れを示すフローチャートである。さらに、図２２〜図４７は、カスタマイズ処理における２つの表示部（具体的には、ＬＣＤ５及びＥＶＦ４）の各表示画面を示す図である。これらの表示画面は、ユーザインターフェイスとして機能する。
【００５５】
まず、図７に示すように、ステップＳＰ１において、撮影モードにおける動作、あるいは、再生モードにおける動作が行われる。
【００５６】
ステップＳＰ１の動作は、次のステップＳＰ２においてコントロールボタン７の決定ボタン７Ｃが押下されたと判定されるまで繰り返される。そして、決定ボタン７Ｃが押下されると、デジタルカメラは、カスタマイズ処理を行うべき旨の入力が行われたものとして判定し、ステップＳＰ２からステップＳＰ３に進む。
【００５７】
このカスタマイズ処理は、以下のように、大きく以下の３つ、すなわち、
（１）ライブビュー画像および再生画像の表示領域のカスタマイズ処理、
（２）ライブビュー画像および再生画像の表示内容のカスタマイズ処理、
（３）画像情報に依存しない情報表示内容のカスタマイズ処理、
に分類できる。各処理については、後に順次説明する。
【００５８】
ここにおいて、このデジタルカメラ１においては、撮影モードにおける情報表示と再生モードにおける情報表示とに分離してカスタマイズ処理を行うことが可能である。そのため、ステップＳＰ３において、ユーザは、撮影モード（撮影状態）における情報表示のカスタマイズを行うのか、あるいは再生モード（再生状態）における情報表示のカスタマイズを行うのかを決定する。
【００５９】
具体的には、ステップＳＰ２で決定ボタン７Ｃの押下が検出されると、ステップＳＰ３において、図２２に示すような設定用の画面がＬＣＤ５に表示される。ユーザは、この画面内に表示される２つの選択肢のいずれかをコントロールボタン７のカーソルボタン７Ｕ，７Ｄを用いて選択し、所望の選択肢が選択されている状態で決定ボタン７Ｃを押下する。これによって、いずれの選択肢を選択するかが決定される。なお、２つの選択肢のうち一方の選択肢である「撮影状態情報表示カスタマイズ」を選択することによって、撮影モード（撮影状態）における情報表示のカスタマイズを行う旨が決定される。また、他方の選択肢である、「再生状態情報表示カスタマイズ」を選択することによって、再生モード（再生状態）における情報表示のカスタマイズを行う旨が決定される。
【００６０】
そして、この選択状態を示すフラグＦＪの値が、ステップＳＰ３における選択に応じた値に変更される。たとえば、前者が選択された場合にはフラグＦＪの値は１に設定され、後者が選択された場合にはフラグＦＪの値は０に設定される。なお、このフラグＦＪは、所定の記憶領域（たとえばＲＡＭ３０ａ）内の所定のアドレスに記憶される。後述するその他のフラグも同様であり、所定の記憶領域（たとえばＲＡＭ３０ａ）内の異なるアドレスにそれぞれ記憶される。
【００６１】
以下では、「撮影状態情報表示カスタマイズ」が選択されたものと仮定して説明を続ける。なお、「再生状態情報表示カスタマイズ」が選択された場合にも同様の処理が行われるが、説明が冗長になるのを防ぐため、その詳細説明を省略する。
【００６２】
＜表示領域のカスタマイズ＞
次のステップＳＰ１０，ＳＰ２０，ＳＰ３０，ＳＰ４０においては、（１）ライブビュー画像および再生画像の表示領域のカスタマイズ処理が行われる。
【００６３】
まず、ステップＳＰ１０において、ＬＣＤ５におけるライブビュー画像の表示領域のカスタマイズ処理が行われる。図９を参照しながら、ステップＳＰ１０のサブルーチン処理について説明する。
【００６４】
ステップＳＰ３で決定ボタン７Ｃの押下が検出されると、図２３に示すような設定用の画面がＬＣＤ５に表示される。この画面には、ステップＳＰ１における撮影状態または再生状態（ここでは撮影状態）においてＬＣＤ５にライブビュー画像を表示するか否かを決定するための選択肢（「ＯＮ」、「ＯＦＦ」）が示されている。
【００６５】
ステップＳＰ１１においては、この設定用の画面を用いて、ＬＣＤ５にライブビュー画像を表示するか否かを決定する。具体的には、ユーザは、コントロールボタン７のカーソルボタン７Ｕ，７Ｄおよび決定ボタン７Ｃを用いることにより、所望の選択肢を選択することができる。選択結果に応じて、所定のフラグＦＬＬの値が設定される。ここで、フラグＦＬＬは、ＬＣＤ５にライブビュー画像を表示するか否かに関する選択結果を示すフラグである。
【００６６】
ステップＳＰ１２においては、この選択結果を示すフラグＦＬＬの値に応じた分岐処理が行われる。ＬＣＤ５にライブビュー画像を表示しない旨（より具体的には、選択肢「ＯＦＦ」）が選択されたと判定される場合はこのサブルーチンを終了する。一方、ＬＣＤ５にライブビュー画像を表示する旨（より具体的には、選択肢「ＯＮ」）が選択されたと判定される場合は、ステップＳＰ１３に進む。
【００６７】
ステップＳＰ１３においては、ＬＣＤ５におけるライブビュー画像の表示領域の大きさを設定する。具体的には、図２４の設定用の画面を用いて行う。図２４には、ＬＣＤ５およびＥＶＦ４に表示される設定用の画面が示されている。
【００６８】
図２４に示すように、カスタマイズ処理時のＬＣＤ５においては、ステップＳＰ１でＬＣＤ５に表示されるべきライブビュー画像の表示領域の大きさ（サイズ）を設定中である旨が示されている。また、ＬＣＤ５内の左上側においては、「ＥＶＦにプレビュー画面が表示されていること」を通知する表示が出力されている。
【００６９】
また、カスタマイズ処理時のＥＶＦ４においては、ライブビュー画像の表示領域Ｒ１がプレビュー表示されている。このプレビューにおいては、プレビュー画面における表示領域（図中のハッチング部分）のＥＶＦ４の全領域に対する割合が、撮影モード時にＬＣＤ５に表示される表示領域のＬＣＤ５の全領域に対する実際の割合に等しくなるように示されている。すなわち、プレビュー画面は、表示領域Ｒ１の全領域に対する占有率を示している。
【００７０】
ユーザは、このプレビュー画面を見て表示領域Ｒ１の大きさを確認しながら、コントロールボタン７を用いて表示領域Ｒ１の大きさを調整する。より詳細には、コントロールボタン７の上下方向のカーソルボタン７Ｕ，７Ｄを用いて表示領域Ｒ１の縦幅を調整し、コントロールボタン７の左右方向のカーソルボタン７Ｌ，７Ｒを用いて表示領域Ｒ１の横幅を調整する。たとえば、カーソルボタン７Ｒを１回押下する毎に所定量ずつ表示領域Ｒ１の横幅が拡大し、カーソルボタン７Ｌを１回押下する毎に所定量ずつ表示領域Ｒ１の横幅が縮小する。また、大きさが変更された表示領域Ｒ１は、ＥＶＦ４に即時にプレビュー表示される。その後、決定ボタン７Ｃの押下によって表示領域の大きさが決定され、決定された表示領域Ｒ１の大きさを示すデータが所定領域に記憶される。このような操作によれば、表示領域Ｒ１の変更後の大きさをプレビュー画面によって即時に確認できるので、カスタマイズが容易である。
【００７１】
ここでは、表示領域Ｒ１が図２４に示すような大きさを有する旨が定められたものと仮定して説明を続ける。
【００７２】
次のステップＳＰ１４においては、ＬＣＤ５におけるライブビュー画像の表示領域Ｒ１の位置を設定する。具体的には、図２５の設定用の画面を用いて行う。図２５には、ＬＣＤ５およびＥＶＦ４に表示される設定用の画面が示されている。
【００７３】
図２５に示すように、カスタマイズ処理時のＬＣＤ５においては、ステップＳＰ１でＬＣＤ５に表示されるべきライブビュー画像の表示領域の位置を設定中である旨が示されている。また、ＬＣＤ５内の左上側においては、「ＥＶＦにプレビュー画面が表示されていること」を通知する表示が出力されている。
【００７４】
また、カスタマイズ処理時のＥＶＦ４においては、ライブビュー画像の表示領域Ｒ１がプレビュー表示されている。このプレビューにおいては、プレビュー画面における表示領域（図中のハッチング部分）のＥＶＦ４の全領域に対する相対位置関係が、実際にＬＣＤ５に表示される表示領域のＬＣＤ５の全領域に対する相対位置関係と同等になるように示されている。すなわち、プレビュー画面は、表示領域Ｒ１の全領域に対する位置（相対位置）を示している。
【００７５】
ユーザは、このプレビュー画面を見て表示領域Ｒ１の位置を確認しながら、コントロールボタン７を用いて表示領域Ｒ１の位置を調整する。より詳細には、コントロールボタン７の上下方向のカーソルボタン７Ｕ，７Ｄを用いて表示領域Ｒ１の縦方向の位置を調整し、コントロールボタン７の左右方向のカーソルボタン７Ｌ，７Ｒを用いて表示領域Ｒ１の横方向の位置を調整する。たとえば、カーソルボタン７Ｒを１回押下する毎に所定量ずつ表示領域Ｒ１が右に移動し、カーソルボタン７Ｌを１回押下する毎に所定量ずつ表示領域Ｒ１が左に移動する。また、移動後の表示領域Ｒ１は、ＥＶＦ４に即時にプレビュー表示される。その後、決定ボタン７Ｃの押下によって表示領域Ｒ１の位置が決定され、決定された表示領域Ｒ１の位置を示すデータが所定領域に記憶される。このような操作によれば、表示領域Ｒ１の変更後の位置をプレビュー画面によって即時に確認できるので、カスタマイズが容易である。
【００７６】
ここでは、図２５に示すように表示領域Ｒ１が画面の左上隅に配置されたものと仮定して説明を続ける。
【００７７】
ステップＳＰ１５においては、表示領域Ｒ１の大きさおよび位置についての設定結果を是認するか否かを決定する。具体的には、図２６の設定用の画面を用いて行う。図２６には、ＬＣＤ５およびＥＶＦ４に表示される設定用の画面が示されている。
【００７８】
ＬＣＤ５においては、表示領域Ｒ１に関する設定を是認するか（すなわちこの設定でＯＫか）否かを決定すべき旨が示されている。また、ＬＣＤ５内の左上側においては、「ＥＶＦにプレビュー画面が表示されていること」を通知する表示が出力されており、ＥＶＦ４においては、ライブビュー画像の表示領域Ｒ１がプレビュー表示されている。
【００７９】
ユーザは、このプレビュー画面を見て表示領域Ｒ１の大きさおよび位置を是認するのであれば、「Ｙｅｓ」を選択する。一方、表示領域Ｒ１の大きさおよび位置の設定をやり直すのであれば、「Ｎｏ」を選択する。「Ｎｏ」を選択した場合には、再びステップＳＰ１３に戻って設定をやり直す。また、「Ｙｅｓ」を選択した場合には、このサブルーチンを終了して、次のステップＳＰ２０に進む。
【００８０】
次に、ステップＳＰ２０において、今度は、（ＬＣＤ５ではなく）ＥＶＦ４におけるライブビュー画像の表示領域Ｒ２（図示せず）のカスタマイズ処理が行われる。図１０は、ステップＳＰ２０のサブルーチン処理を示す図である。
【００８１】
ステップＳＰ２１では、図２７に示すような設定用の画面を用いて、ライブビュー画像をＥＶＦ４にステップＳＰ１で表示するか否かが決定される。また、選択結果に応じて、所定のフラグＦＥＬの値が設定される。ここで、フラグＦＥＬは、ＥＶＦ４にライブビュー画像を表示するか否かについての選択結果を示すフラグである。
【００８２】
ステップＳＰ２２においては、選択結果を示すフラグＦＥＬの値に応じた分岐岐処理が行われる。ＥＶＦ４にライブビュー画像を表示しない旨が選択されたと判定される場合はこのサブルーチンを終了する。一方、ＥＶＦ４にライブビュー画像を表示する旨が選択されたと判定される場合は、ステップＳＰ２３に進む。
【００８３】
ステップＳＰ２３においては、ＥＶＦ４におけるライブビュー画像の表示領域Ｒ２の大きさが設定される。決定された表示領域Ｒ２の大きさを示すデータは、所定の記憶領域に記憶される。
【００８４】
ステップＳＰ２４においては、ＥＶＦ４におけるライブビュー画像の表示領域Ｒ２の位置が設定される。決定された表示領域Ｒ２の位置を示すデータは、所定の記憶領域に記憶される。
【００８５】
ステップＳＰ２５においては、表示領域Ｒ２の大きさおよび位置についての設定結果を是認するか否かを決定する。デジタルカメラ１はこの決定に応じて、設定をやり直すか否かを決定する。この設定結果に満足できない旨の入力がなされれば、再びステップＳＰ１３に戻って設定をやり直す。一方、この設定結果で良い旨の入力がなされれば（ＯＫであれば）、次のステップＳＰ３０に進む。
【００８６】
なお、ここでは、図２７に示すように、ステップＳＰ２１で、ＥＶＦ４にライブビュー画像を表示しない旨を決定したものとして説明を行う。したがって、ステップＳＰ２２の終了後、ステップＳＰ２３，ＳＰ２４，ＳＰ２５の処理を行わずにステップＳＰ３０に進む。
【００８７】
次に、ステップＳＰ３０において、ＬＣＤ５における「再生画像」の表示領域のカスタマイズ処理が行われる。図１１を参照しながら、ステップＳＰ３０のサブルーチン処理について説明する。
【００８８】
ステップＳＰ３１においては、図２８に示すような設定用の画面がＬＣＤ５に表示される。この画面には、ＬＣＤ５に再生画像を表示するか否かを決定するための選択肢（「ＯＮ」、「ＯＦＦ」）が示されている。この設定用の画面を用いて、ＬＣＤ５に再生画像を表示するか否かが決定される。具体的には、ユーザは、コントロールボタン７のカーソルボタン７Ｕ，７Ｄおよび決定ボタン７Ｃを用いることにより、所望の選択肢を選択することができる。選択結果に応じて、所定のフラグＦＬＰの値が設定される。
【００８９】
ステップＳＰ３２においては、選択結果を示すフラグＦＬＰの値に応じた分岐処理が行われる。ＬＣＤ５に再生画像を表示しない旨が選択されたと判定される場合はこのサブルーチンを終了する。一方、ＬＣＤ５に再生画像を表示する旨が選択されたと判定される場合は、ステップＳＰ３３に進む。
【００９０】
ステップＳＰ３３においては、ＬＣＤ５における再生画像の表示領域の大きさを設定する。具体的には、図２９の設定用の画面を用いて行う。図２９には、ＬＣＤ５およびＥＶＦ４に表示される設定用の画面が示されている。
【００９１】
図２９に示されるように、カスタマイズ処理時のＬＣＤ５においては、撮影状態（または再生状態）でＬＣＤ５に表示されるべき再生画像の表示領域の大きさ（サイズ）を設定中である旨が示されている。また、ＬＣＤ５内の左上側においては、「ＥＶＦにプレビュー画面が表示されていること」を通知する表示が出力されており、ＥＶＦ４においては、再生画像の表示領域Ｒ３がプレビュー表示されている。このプレビュー表示においては、表示領域Ｒ３の全領域に対する占有の割合が示されている。さらに、この再生画像の表示領域Ｒ３は、ライブビュー画像の表示領域Ｒ１に併せて表示されている。したがって、両表示領域の関係Ｒ１，Ｒ３を見ながら再生画像の表示領域を設定することができる。
【００９２】
ユーザは、このプレビュー画面を見て表示領域Ｒ３の大きさを確認しながら、コントロールボタン７を用いて表示領域Ｒ３の大きさを調整する。表示領域Ｒ３の大きさは、表示領域Ｒ１について上述した手法と同様の手法により調整される。また、大きさが変更された表示領域Ｒ３は、ＥＶＦ４に即時にプレビュー表示される。その後、決定ボタン７Ｃの押下によって表示領域Ｒ３の大きさが決定され、決定された表示領域Ｒ３の大きさを示すデータが所定領域に記憶される。このような操作によれば、表示領域Ｒ３の変更後の大きさをプレビュー画面によって即時に確認できるので、カスタマイズが容易である。
【００９３】
ここでは、表示領域Ｒ３が図２９に示すような大きさを有する旨が定められたものと仮定して説明を続ける。
【００９４】
次のステップＳＰ３４においては、ＬＣＤ５における再生画像の表示領域Ｒ３の位置を設定する。具体的には、図３０の設定用の画面を用いて行う。図３０には、ＬＣＤ５およびＥＶＦ４に表示される設定用の画面が示されている。
【００９５】
図３０に示されるように、カスタマイズ処理時のＬＣＤ５においては、撮影状態（または再生状態）でＬＣＤ５に表示されるべき再生画像の表示領域の位置を設定中である旨が示されている。また、ＬＣＤ５内の左上側においては、「ＥＶＦにプレビュー画面が表示されていること」を通知する表示が出力されており、ＥＶＦ４においては、再生画像の表示領域Ｒ３がプレビュー表示されている。このプレビューにおいては、プレビュー画面における表示領域（図中のハッチング部分）のＥＶＦ４の全領域に対する相対位置関係が、実際にＬＣＤ５に表示される表示領域のＬＣＤ５の全領域に対する相対位置関係と同等になるように示されている。すなわち、プレビュー画面は、表示領域の全領域に対する位置（相対位置）を示している。
【００９６】
ユーザは、このプレビュー画面を見て表示領域Ｒ３の位置を確認しながら、コントロールボタン７を用いて表示領域Ｒ３の位置を調整する。表示領域Ｒ３の位置は、表示領域Ｒ１について上述した手法と同様の手法により調整される。また、移動後の表示領域Ｒ３は、ＥＶＦ４に即時にプレビュー表示される。その後、決定ボタン７Ｃの押下によって表示領域Ｒ３の位置が決定され、決定された表示領域Ｒ３の位置を示すデータが所定領域に記憶される。このような操作によれば、表示領域Ｒ３の変更後の位置をプレビュー画面によって即時に確認できるので、カスタマイズが容易である。
【００９７】
ここでは、図３０に示すように表示領域Ｒ３が画面の右下隅に配置されたものと仮定して説明を続ける。
【００９８】
ステップＳＰ３５においては、表示領域Ｒ３の大きさおよび位置についての設定結果を是認するか否かを決定する。具体的には、（図２６と同様の）設定用の画面を用いて行う。ユーザによって、表示領域Ｒ３の大きさおよび位置が是認されなかった場合には、再びステップＳＰ３３に戻って設定をやり直す。一方、是認された場合には、このサブルーチンを終了して、次のステップＳＰ４０に進む。
【００９９】
次に、ステップＳＰ４０において、「ＥＶＦ４」における「再生画像」の表示領域のカスタマイズ処理が行われる。図１２を参照しながら、ステップＳＰ４０のサブルーチン処理について説明する。
【０１００】
ステップＳＰ４１においては、図３１に示すような設定用の画面がＬＣＤ５に表示される。この画面には、ＥＶＦ４に再生画像を表示するか否かを決定するための選択肢（「ＯＮ」、「ＯＦＦ」）が示されている。この設定用の画面を用いて、ＥＶＦ４に再生画像を表示するか否かが決定される。具体的には、ユーザは、コントロールボタン７のカーソルボタン７Ｕ，７Ｄおよび決定ボタン７Ｃを用いることにより、所望の選択肢を選択することができる。選択結果に応じて、所定のフラグＦＥＰの値が設定される。
【０１０１】
ステップＳＰ４２においては、選択結果を示すフラグＦＥＰの値に応じた分岐処理が行われる。ＥＶＦ４に再生画像を表示しない旨が選択されたと判定される場合はこのサブルーチンを終了する。一方、ＥＶＦ４に再生画像を表示する旨が選択されたと判定される場合は、ステップＳＰ４３に進む。
【０１０２】
ステップＳＰ４３においては、ＥＶＦ４における再生画像の表示領域Ｒ４の大きさを設定する。具体的には、図３２の設定用の画面を用いて行う。図３２には、ＬＣＤ５およびＥＶＦ４に表示される設定用の画面が示されている。
【０１０３】
図３２に示すように、カスタマイズ処理時のＬＣＤ５においては、撮影状態（または再生状態）でＥＶＦ４に表示されるべき再生画像の表示領域Ｒ４の大きさ（サイズ）を設定中である旨が示されている。また、ＬＣＤ５内の左上側においては、「ＥＶＦにプレビュー画面が表示されていること」を通知する表示が出力されており、ＥＶＦ４においては、再生画像の表示領域Ｒ４がプレビュー表示されている。このプレビューにおいては、表示領域Ｒ４の全領域に対する占有率が示されている。
【０１０４】
ここでは、図３２では表示領域Ｒ２は示されていない。これは、上記のステップＳＰ２０（ＳＰ２１）において、ＥＶＦ４にライブビュー画像を表示しない旨を決定にしたがっているためである。ただし、表示領域Ｒ２を表示するという決定がなされている場合には、再生画像のＥＶＦ４における表示領域Ｒ４は、ライブビュー画像のＥＶＦ４における表示領域Ｒ２に併せて表示される。この場合には、ユーザは、両表示領域の関係Ｒ２，Ｒ４を見ながら再生画像の表示領域を設定することができる。
【０１０５】
ユーザは、このプレビュー画面を見て表示領域Ｒ４の大きさを確認しながら、コントロールボタン７を用いて表示領域Ｒ４の大きさを調整する。表示領域Ｒ４の大きさは、表示領域Ｒ１について上述した手法と同様の手法により調整される。また、大きさが変更された表示領域Ｒ４は、ＥＶＦ４に即時にプレビュー表示される。その後、決定ボタン７Ｃの押下によって表示領域Ｒ４の大きさが決定され、決定された表示領域Ｒ４の大きさを示すデータが所定領域に記憶される。このような操作によれば、表示領域Ｒ４の変更後の大きさをプレビュー画面によって即時に確認できるので、カスタマイズが容易である。
【０１０６】
ここでは、表示領域Ｒ４が図３２に示すような大きさを有する旨が定められたものと仮定して説明を続ける。
【０１０７】
次のステップＳＰ４４においては、ＥＶＦ４における再生画像の表示領域Ｒ４の位置を設定する。具体的には、図３３の設定用の画面を用いて行う。図３３には、ＬＣＤ５およびＥＶＦ４に表示される設定用の画面が示されている。
【０１０８】
図３３に示すように、カスタマイズ処理時のＬＣＤ５においては、撮影状態（または再生状態）でＥＶＦ４に表示されるべき再生画像の表示領域の位置を設定中である旨が示されている。また、ＬＣＤ５内の左上側においては、「ＥＶＦにプレビュー画面が表示されていること」を通知する表示が出力されており、ＥＶＦ４においては、再生画像の表示領域Ｒ４がプレビュー表示されている。すなわち、このプレビュー画面は、表示領域Ｒ４の全領域に対する位置（相対位置）を示している。
【０１０９】
ユーザは、このプレビュー画面を見て表示領域Ｒ４の位置を確認しながら、コントロールボタン７を用いて表示領域Ｒ４の位置を調整する。表示領域Ｒ４の大きさは、表示領域Ｒ１について上述した手法と同様の手法により調整される。また、移動後の表示領域Ｒ４は、ＥＶＦ４に即時にプレビュー表示される。その後、決定ボタン７Ｃの押下によって表示領域Ｒ４の位置が決定され、決定された表示領域Ｒ４の位置を示すデータが所定領域に記憶される。このような操作によれば、表示領域Ｒ４の変更後の位置をプレビュー画面によって即時に確認できるので、カスタマイズが容易である。
【０１１０】
ここでは、図３３に示すように表示領域Ｒ４が画面の左上隅に配置されたものと仮定して説明を続ける。
【０１１１】
ステップＳＰ４５においては、表示領域Ｒ４の大きさおよび位置についての設定結果を是認するか否かを決定する。具体的には、（図２６と同様の）設定用の画面を用いて行う。ユーザによって、表示領域Ｒ４の大きさおよび位置が是認されなかった場合には、再びステップＳＰ４３に戻って設定をやり直す。一方、是認された場合には、このサブルーチンを終了して、次のステップＳＰ４９（図８）に進む。
【０１１２】
以上のようにして、撮影モード（撮影状態）における情報表示に関して、ＬＣＤ５及びＥＶＦ４のそれぞれにおいて、ライブビュー画像の表示領域Ｒ１，Ｒ２と再生画像Ｒ３，Ｒ４とを決定することができる。なお、ここでは詳述しないが、同様にして再生モード（再生状態）における情報表示に関する各領域Ｒ１〜Ｒ４を決定することが可能である。
【０１１３】
＜表示内容のカスタマイズ＞
ステップＳＰ５０，ＳＰ６０，ＳＰ７０，ＳＰ８０においては、（２）ライブビュー画像および再生画像の表示内容のカスタマイズ処理が行われる。
【０１１４】
詳細には、ステップＳＰ５０，ＳＰ６０において、ライブビュー画像と関連する表示内容のカスタマイズ処理が行われる。より詳細には、ステップＳＰ５０において、ＬＣＤ５における表示内容についてのカスタマイズ処理が行われ、ステップＳＰ６０においてＥＶＦ４における表示内容についてのカスタマイズ処理が行われる。
【０１１５】
また、ステップＳＰ７０，ＳＰ８０において、再生画像と関連する表示内容のカスタマイズ処理が行われる。より詳細には、ステップＳＰ７０において、ＬＣＤ５における表示内容についてのカスタマイズ処理が行われ、ステップＳＰ８０においてＥＶＦ４における表示内容についてのカスタマイズ処理が行われる。
【０１１６】
次に、各ステップＳＰ５０，ＳＰ６０，ＳＰ７０，ＳＰ８０の処理を順に説明する。
【０１１７】
まず、図１３を参照しながら、ステップＳＰ５０のサブルーチン処理について説明する。
【０１１８】
ステップＳＰ５０においては、ライブビュー画像と関連する表示内容のうち、撮影状態（または再生状態）でＬＣＤ５に表示すべき内容についてのカスタマイズ処理が行われる。
【０１１９】
ステップＳＰ５１においては、ステップＳＰ５２以降の処理を行うべきか否かを判定する。具体的には、ＬＣＤ５においてライブビュー画像が表示されない場合には、ステップＳＰ５２以降の処理を行う必要がないものと判断して、ステップＳＰ５２以降の処理を行うことなくこのサブルーチンを終了して次のステップＳＰ６０に進む。一方、ＬＣＤ５においてライブビュー画像が表示される場合には、ステップＳＰ５２に進み、その表示内容のカスタマイズ処理を行う。なお、ＬＣＤ５においてライブビュー画像が表示されるか否かは、各フラグＦＬＬの値に基づいて判定すればよい。
【０１２０】
ステップＳＰ５２以降においては、ＬＣＤ５に表示される「ライブビュー画像関連情報（ライブビュー画像に関連する情報）」のうちの各種の情報の表示設定が順次に行われる。
【０１２１】
ステップＳＰ５２では、まず、シャッタスピードに関する情報の表示設定が行われる。
【０１２２】
図１４は、ステップＳＰ５２における詳細動作を示すフローチャートである。図１４を参照しながら、ステップＳＰ５２の動作について説明する。
【０１２３】
まず、図１４のステップＳＰ５２ａにおいて、「シャッタスピード」を、ライブビュー画像関連情報としてＬＣＤ５に表示するか否かを決定する。
【０１２４】
ステップＳＰ５２ａにおいては、図３４に示すような設定用の画面がＬＣＤ５およびＥＶＦ４に表示される。
【０１２５】
このとき、ＬＣＤ５においては、「ＬＣＤ：撮影：シャッタスピード表示」と表示されている。このうち、「ＬＣＤ」は、現在の作業がＬＣＤ５に関する表示情報の設定作業であることを示し、「撮影」は、現在の作業がライブビュー画像（主として撮影時に用いられるプレビュー画像）の関連情報の設定作業であることを示している。また、「シャッタスピード表示」は、現在の作業が、シャッタスピード関連情報の表示の有無を決定する作業であることを示している。
【０１２６】
また、この画面には、シャッタスピードに関する情報を表示するか否かを決定するための選択肢（「ＯＮ」、「ＯＦＦ」）が示されている。この設定用の画面を用いて、シャッタスピードに関する情報を表示するか否かが決定される。具体的には、ユーザは、コントロールボタン７のカーソルボタン７Ｕ，７Ｄおよび決定ボタン７Ｃを用いることにより、所望の選択肢を選択することができる。この選択結果に応じて、選択結果を記憶するための所定のフラグＦＬＬｓｓの値が設定される。
【０１２７】
ステップＳＰ５２ｂにおいては、選択結果を示すフラグＦＬＬｓｓの値に応じた分岐処理が行われる。シャッタスピードに関する情報を表示しない旨が選択されたと判定される場合はこのサブルーチンを終了する。一方、シャッタスピードに関する情報を表示する旨が選択されたと判定される場合は、ステップＳＰ５２ｃに進む。
【０１２８】
ステップＳＰ５２ｃに進むと、図３５に示すような設定用の画面が、ＬＣＤ５およびＥＶＦ４に表示される。ステップＳＰ５２ｃにおいては、図３５の設定用の画面を用いて、シャッタスピードに関する情報の表示色を設定する。
【０１２９】
このとき、ＬＣＤ５においては、「ＬＣＤ：撮影：シャッタスピード表示色」と表示されている。このうち、「ＬＣＤ」および「撮影」は、上述したような内容を意味しており、「シャッタスピード表示色」は、現在の作業が、シャッタスピードに関する情報（シャッタスピード関連情報）の表示色を決定する作業であることを示している。
【０１３０】
また、ＥＶＦ４においては、図３５に示すように、シャッタスピードに関する情報の表示例がその中央部に示される。ここでは、表示例として、シャッタスピードが１／９０秒であることを示す「１／９０」の文字が示されている。ユーザは、この文字を見ながらその表示色を設定する。この文字は、情報の設定中であることを示すために点滅しており、その情報設定作業の終了（ステップＳＰ５２ｆ）とともに点灯状態となる。
【０１３１】
具体的には、ユーザは、コントロールボタン７のカーソルボタン７Ｕ，７Ｄ（あるいは７Ｌ、７Ｒ）および決定ボタン７Ｃを用いることにより、所望の色を選択することができる。より詳細には、ユーザによるカーソルボタン７Ｕ，７Ｄ（あるいは７Ｌ、７Ｒ）の押下に応じて、文字の色が順次に変化していく。そして、ユーザは所望の色が表示された時点で、決定ボタン７Ｃを押下する。これによって、シャッタスピードに関する情報の表示色が所望の色に決定される。決定された色は、色データ（色コード番号等）として所定の記憶領域に記憶される。
【０１３２】
次のステップＳＰ５２ｄにおいては、シャッタスピードに関する情報の表示サイズを設定する。具体的には、図３６の設定用の画面を用いて行う。
【０１３３】
ステップＳＰ５２ｄに進むと、図３６に示すような設定用の画面が、ＬＣＤ５およびＥＶＦ４に表示される。
【０１３４】
このとき、ＬＣＤ５においては、「ＬＣＤ：撮影：シャッタスピード表示サイズ」と表示されている。このうち、「ＬＣＤ」および「撮影」は、上述したような内容を意味しており、「シャッタスピード表示サイズ」は、現在の作業が、シャッタスピード関連情報の表示サイズを決定する作業であることを示している。また、ＬＣＤ５内の左上側においては、「ＥＶＦにプレビュー画面が表示されていること」を通知する表示が出力されている。
【０１３５】
また、ＥＶＦ４には、そのプレビュー画面が表示されている。具体的には、ＥＶＦ４において、ライブビュー画像の表示領域Ｒ１および再生画像の表示領域Ｒ３が表示されているとともに、ステップＳＰ５２ｃで設定された色を有する文字「１／９０」が表示されている。
【０１３６】
ユーザは、ＥＶＦ４に表示されているこの文字を見ながら、今度はその表示サイズ（フォントサイズ）を設定する。具体的には、ユーザは、コントロールボタン７のカーソルボタン７Ｕ，７Ｄおよび決定ボタン７Ｃを用いることにより、所望のサイズを選択することができる。より詳細には、カーソルボタン７Ｕの押下に応じて文字のフォントサイズが順次に大きくなり、カーソルボタン７Ｄの押下に応じて文字のフォントサイズが順次に小さくなる。そして、ユーザは文字のサイズが所望のサイズになった時点で、決定ボタン７Ｃを押下する。これによって、シャッタスピードに関する情報の表示サイズが所望のサイズ（大きさ）に決定される。そして、決定されたサイズ、より具体的には、縦方向の長さおよび横方向の長さが、所定の記憶領域に記憶される。
【０１３７】
このとき、ＥＶＦ４のプレビュー画面においては、設定対象の文字「１／９０」の大きさとライブビュー画像の表示領域Ｒ１および再生画像の表示領域Ｒ３などの大きさとの関係がシミュレートされた状態で表示されているので、文字サイズの設定が容易である。
【０１３８】
次のステップＳＰ５２ｅにおいては、シャッタスピードに関する情報の表示位置を設定する。具体的には、図３７の設定用の画面を用いて行う。
【０１３９】
ステップＳＰ５２ｄに進むと、図３７に示すような設定用の画面が、ＬＣＤ５およびＥＶＦ４に表示される。
【０１４０】
このとき、ＬＣＤ５においては、「ＬＣＤ：撮影：シャッタスピード表示位置」と表示されている。このうち、「ＬＣＤ」および「撮影」は、上述したような内容を意味しており、「シャッタスピード表示位置」は、現在の作業が、シャッタスピード関連情報の表示位置を決定する作業であることを示している。また、ＬＣＤ５内の左上側においては、「ＥＶＦにプレビュー画面が表示されていること」を通知する表示が出力されている。
【０１４１】
また、ＥＶＦ４には、そのプレビュー画面が表示されている。具体的には、ＥＶＦ４において、ライブビュー画像の表示領域Ｒ１および再生画像の表示領域Ｒ３が表示されているとともに、ステップＳＰ５２ｃで設定された色を有する文字「１／９０」が表示されている。
【０１４２】
ユーザは、ＥＶＦ４に表示されているこの文字を見ながら、今度はその表示位置を設定する。具体的には、ユーザは、コントロールボタン７のカーソルボタン７Ｕ，７Ｄおよび決定ボタン７Ｃを用いることにより、表示例としての文字「１／９０」を所望の位置に移動させることができる。より詳細には、上下左右４方向への移動をそれぞれ示すカーソルボタン７Ｕ，７Ｄ，７Ｌ，７Ｒの押下に応じて、文字が指示された方向に移動する。そして、ユーザは文字が所望の位置に移動した時点で、決定ボタン７Ｃを押下する。これによって、シャッタスピードに関する情報の表示位置が所望の位置に決定される。そして、決定された位置、より具体的には、文字領域の左上の端点の横方向の位置および縦方向の位置が、所定の記憶領域に記憶される。
【０１４３】
このとき、ＥＶＦ４のプレビュー画面においては、設定対象の文字「１／９０」とライブビュー画像の表示領域Ｒ１および再生画像の表示領域Ｒ３などとの位置関係がシミュレートされた状態で表示されているので、文字位置の設定が容易である。
【０１４４】
以上のような動作によって、シャッタスピード関連情報の表示色、表示サイズ、および表示位置がそれぞれ設定される。たとえば、シャッタスピード関連情報の表示サイズおよび表示位置は、図３８に示すように設定される。また、その表示色はたとえば灰色に設定される。このとき、情報設定作業が終了しているため、文字は点滅状態から点灯状態になっている。
【０１４５】
ステップＳＰ５２ｆにおいては、シャッタスピードに関する設定結果を是認するか否かを決定する。ユーザは、ＥＶＦ４に表示されたプレビュー画面を見ながら、プレビュー画面に表示された設定内容で良いか否かを判定する。具体的には、この設定結果に満足できなければ、ＬＣＤ５の設定画面に示されている選択肢「Ｎｏ」を選択する。この場合、再びステップＳＰ５２ｃに戻って設定をやり直すことができる。一方、この設定結果で良ければ（ＯＫであれば）、選択肢「Ｙｅｓ」を選択する。この場合、このサブルーチン（ステップＳＰ５２）を終了して、次のステップＳＰ５３に進む。
【０１４６】
つぎに、ステップＳＰ５３（図１３および図１５参照）について説明する。このステップＳＰ５３では、ＬＣＤ５に表示される「ライブビュー画像関連情報（ライブビュー画像に関連する情報）」のうちの「絞り」に関する情報の表示設定が行われる。また、図１５は、ステップＳＰ５３における詳細動作を示すフローチャートである。
【０１４７】
まず、図１５のステップＳＰ５３ａにおいて、「絞り」を、ライブビュー画像関連情報としてＬＣＤに表示するか否かを決定する。
【０１４８】
ステップＳＰ５３ａにおいては、図３９に示すような設定用の画面がＬＣＤ５およびＥＶＦ４に表示される。
【０１４９】
このとき、ＬＣＤ５においては、「ＬＣＤ：撮影：絞り表示」と表示されている。このうち、「ＬＣＤ」および「撮影」は、上述したような内容を意味しており、「絞り表示」は、現在の作業が、絞り関連情報の表示の有無を決定する作業であることを示している。
【０１５０】
また、この画面には、絞りに関する情報を表示するか否かを決定するための選択肢（「ＯＮ」、「ＯＦＦ」）が示されている。この設定用の画面を用いて、絞りに関する情報を表示するか否かが決定される。具体的には、ユーザは、コントロールボタン７のカーソルボタン７Ｕ，７Ｄおよび決定ボタン７Ｃを用いることにより、所望の選択肢を選択することができる。この選択結果に応じて、選択結果を記憶するための所定のフラグＦＬＬｆの値が設定される。
【０１５１】
ステップＳＰ５３ｂにおいては、選択結果を示すフラグＦＬＬｆの値に応じた分岐処理が行われる。絞りに関する情報を表示しない旨が選択されたと判定される場合はこのサブルーチンを終了する。一方、絞りに関する情報を表示する旨が選択されたと判定される場合は、ステップＳＰ５３ｃに進む。
【０１５２】
ステップＳＰ５３ｃに進むと、図４０に示すような設定用の画面が、ＬＣＤ５およびＥＶＦ４に表示される。ステップＳＰ５３ｃにおいては、図４０の設定用の画面を用いて、絞りに関する情報の表示色を設定する。
【０１５３】
ＬＣＤ５およびＥＶＦ４における表示内容は、図３５と同様である。ただし、ＬＣＤ５における「絞り表示色」は、現在の作業が、絞り関連情報の表示色を決定する作業であることを示している。また、ＥＶＦ４においては、図４０に示すように、絞りに関する情報の表示例がその中央部に追加的に示される。ここでは、表示例として、Ｆナンバー（絞り値）が２．８であることを示す「Ｆ２．８」の文字が示されている。ユーザは、この文字を見ながら、表示色を設定する。なお、この文字は、図４０においては、情報の設定中であることを示すために点滅しているが、その情報設定作業が終了すると点灯状態となる。
【０１５４】
具体的には、ユーザは、コントロールボタン７のカーソルボタン７Ｕ，７Ｄ（あるいは７Ｌ、７Ｒ）および決定ボタン７Ｃを用いることにより、絞りに関する情報の表示色を所望の色に決定することができる。決定された色は、色データ（色コード番号等）として所定の記憶領域に記憶される。
【０１５５】
このとき、図４０に示すように、ＥＶＦ４のプレビュー画面においては、設定対象の文字「Ｆ２．８」は、その他の設定文字（たとえばシャッタスピードを示す文字「１／９０」）とともに表示されている。したがって、絞り関連情報を表示する文字の色を他の情報を示す文字の色との関係を考慮して設定することができる。
【０１５６】
次のステップＳＰ５３ｄにおいては、絞りに関する情報の表示サイズを設定する。具体的には、図４１の設定用の画面を用いて行う。
【０１５７】
ステップＳＰ５３ｄに進むと、図４１に示すような設定用の画面が、ＬＣＤ５およびＥＶＦ４に表示される。
【０１５８】
ＬＣＤ５およびＥＶＦ４における表示内容は、図３６と同様である。ただし、ＬＣＤ５における、「絞り表示サイズ」は、現在の作業が、絞り関連情報の表示サイズを決定する作業であることを示している。また、ＥＶＦ４のプレビュー画面においては、ライブビュー画像の表示領域Ｒ１および再生画像の表示領域Ｒ３が表示されているとともに、ステップＳＰ５３ｃで設定された色を有する文字「Ｆ２．８」が表示されている。
【０１５９】
ユーザは、ＥＶＦ４に表示されているこの文字を見ながら、今度はその表示サイズ（フォントサイズ）を設定する。ユーザは、コントロールボタン７のカーソルボタン７Ｕ，７Ｄおよび決定ボタン７Ｃを用いることにより、所望のサイズを選択する。これによって、絞りに関する情報の表示サイズが所望のサイズ（大きさ）に決定される。そして、決定されたサイズ、より具体的には、縦方向の長さおよび横方向の長さが、所定の記憶領域に記憶される。
【０１６０】
このとき、ＥＶＦ４のプレビュー画面においては、設定対象の文字「Ｆ２．８」の大きさとライブビュー画像の表示領域Ｒ１および再生画像の表示領域Ｒ３などの大きさとの関係がシミュレートされた状態で表示されているので、文字サイズの設定が容易である。
【０１６１】
次のステップＳＰ５３ｅにおいては、絞りに関する情報の表示位置を設定する。具体的には、図４２の設定用の画面を用いて行う。
【０１６２】
ステップＳＰ５３ｄに進むと、図４２に示すような設定用の画面が、ＬＣＤ５およびＥＶＦ４に表示される。
【０１６３】
ＬＣＤ５およびＥＶＦ４における表示内容は、図３７と同様である。ただし、ＬＣＤ５における「絞り表示位置」は、現在の作業が、絞り関連情報の表示位置を決定する作業であることを示している。また、ＥＶＦ４のプレビュー画面においては、ライブビュー画像の表示領域Ｒ１および再生画像の表示領域Ｒ３が表示されているとともに、ステップＳＰ５３ｃで設定された色を有する文字「Ｆ２．８」が表示されている。
【０１６４】
ユーザは、ＥＶＦ４に表示されているこの文字を見ながら、今度はその表示位置を設定する。具体的には、ユーザは、コントロールボタン７のカーソルボタン７Ｕ，７Ｄおよび決定ボタン７Ｃを用いることにより、表示例としての文字「Ｆ２．８」を所望の位置に移動させることができる。より詳細には、上下左右４方向への移動をそれぞれ示すカーソルボタン７Ｕ，７Ｄ，７Ｌ，７Ｒの押下に応じて、文字が指示された方向に移動する。そして、ユーザは文字が所望の位置に移動した時点で、決定ボタン７Ｃを押下する。これによって、絞りに関する情報の表示位置が所望の位置に決定される。そして、決定された位置、より具体的には、左上の端点の横方向の位置および縦方向の位置が、所定の記憶領域に記憶される。
【０１６５】
このとき、ＥＶＦ４のプレビュー画面においては、設定対象の文字「Ｆ２．８」とライブビュー画像の表示領域Ｒ１および再生画像の表示領域Ｒ３などとの位置関係がシミュレートされた状態で表示されているので、文字位置の設定が容易である。
【０１６６】
以上のような動作によって、絞り関連情報の表示色、表示サイズ、および表示位置がそれぞれ設定される。たとえば、絞り関連情報の表示サイズおよび表示位置は、図４３に示すように設定される。また、その表示色はたとえば青色に設定される。このとき、情報設定作業が終了しているため、文字は点滅状態から点灯状態になっている。
【０１６７】
ステップＳＰ５３ｆにおいては、絞りに関する設定結果を是認するか否かを決定する。ユーザは、ＥＶＦ４に表示されたプレビュー画面を見ながら、プレビュー画面に表示された設定内容で良いか否かを判定する。具体的には、この設定結果に満足できなければ、ＬＣＤ５（図４３）に示されている選択肢「Ｎｏ」を選択する。この場合、再びステップＳＰ５３ｃに戻って設定をやり直すことができる。一方、この設定結果で良ければ（ＯＫであれば）、ＬＣＤ５（図４３）に示されている選択肢「Ｙｅｓ」を選択する。この場合、このサブルーチン（ステップＳＰ５３）を終了して、次のステップＳＰ５４に進む。
【０１６８】
次のステップＳＰ５４（図１３）においては、ＬＣＤ５に表示される「ライブビュー画像関連情報」のうち「ホワイトバランス（ＷＢ）」に関する表示設定が行われる。このステップＳＰ５４においては、ステップＳＰ５２，ＳＰ５３と同様の動作が行われる。重複を避けるため、ここではその詳細動作の説明を省略する。
【０１６９】
同様に、ステップＳＰ５５以降においては、ＬＣＤ５に表示される「ライブビュー画像関連情報（ライブビュー画像に関連する情報）」のうちのその他の情報の表示設定が行われる。その他の情報としては、たとえば、「撮影モード」、「フラッシュモード」、「ヒストグラム」、「画像サイズ」、「画質」、「ドライブモード」、「撮影可能枚数」、「光学ズーム情報」、および「デジタルズームにおける拡大率」などが挙げられる。これらの各種の情報について、それぞれ、その情報を示す文字（ないしは図形、記号等）の有無、色、サイズ、および位置を設定する動作が行われる。
【０１７０】
以上の動作で、ステップＳＰ５０が終了すると、次のステップＳＰ６０に進む。
【０１７１】
ステップＳＰ６０（図８）においては、ライブビュー画像と関連する表示内容のうち、撮影状態（または再生状態）でＥＶＦ４に表示すべき内容についてのカスタマイズ処理が行われる。
【０１７２】
図１６は、このステップＳＰ６０の詳細を示すフローチャートである。ステップＳＰ６０のカスタマイズ処理は、その処理対象情報の表示先デバイスがＥＶＦ４である点で相違するものの、ステップＳＰ５０の処理と同様である。
【０１７３】
図１６に示すように、まず、ステップＳＰ６１において、ステップＳＰ６２以降の処理を行うべきか否かを判定する。具体的には、ＥＶＦ４においてライブビュー画像が表示されない場合には、ステップＳＰ６２以降の処理を行う必要がないものと判断して、ステップＳＰ６２以降の処理を行うことなくこのサブルーチンを終了して次のステップＳＰ７０に進む。一方、ＥＶＦ４においてライブビュー画像が表示される場合には、ステップＳＰ６２に進み、その表示内容のカスタマイズ処理を行う。なお、ＥＶＦ４においてライブビュー画像が表示されるか否かは、各フラグＦＥＬの値に基づいて判定すればよい。
【０１７４】
ステップＳＰ６２以降においては、ＬＣＤ５に表示される「ライブビュー画像関連情報（ライブビュー画像に関連する情報）」のうちの各種の情報の表示設定が順次に行われる。
【０１７５】
まず、ステップＳＰ６２では、「シャッタスピード」に関する情報の表示設定が行われる。また、ステップＳＰ６３では、「絞り」に関する情報の表示設定が行われ、ステップＳＰ６４では、「ホワイトバランス」に関する情報の表示設定が行われる。さらに、その後、「撮影モード」、「フラッシュモード」、「ヒストグラム」、「画像サイズ」、「画質」、「ドライブモード」、「撮影可能枚数」、「光学ズーム情報」、および「デジタルズームにおける拡大率」などの各種の情報について、それぞれ、その情報を示す文字（ないしは図形、記号等）の有無、色、サイズ、および位置を設定する動作が行われる。
【０１７６】
このような処理によって、ステップＳＰ６０が終了すると、ステップＳＰ７０に進む。
【０１７７】
ステップＳＰ７０（図８）においては、再生画像と関連する表示内容のうち、撮影状態（または再生状態）でＬＣＤ５に表示すべき内容についてのカスタマイズ処理が行われる。
【０１７８】
図１７は、このステップＳＰ７０の詳細を示すフローチャートである。ステップＳＰ７０のカスタマイズ処理は、ステップＳＰ５０の処理と同様であるが、再生画像関連情報に関するカスタマイズ処理である点で相違する。
【０１７９】
図１７に示すように、まず、ステップＳＰ７１において、ステップＳＰ７２以降の処理を行うべきか否かを判定する。具体的には、ＬＣＤ５において再生画像が表示されない場合には、ステップＳＰ７２以降の処理を行う必要がないものと判断して、ステップＳＰ７２以降の処理を行うことなくこのサブルーチンを終了して次のステップＳＰ８０に進む。一方、ＬＣＤ５において再生画像が表示される場合には、ステップＳＰ７２に進み、その表示内容のカスタマイズ処理を行う。なお、ＬＣＤ５において再生画像が表示されるか否かは、各フラグＦＬＰの値に基づいて判定すればよい。
【０１８０】
ステップＳＰ７２以降においては、ＬＣＤ５に表示される「再生画像関連情報（再生画像に関連する情報）」のうちの各種の情報の表示設定が順次に行われる。
【０１８１】
まず、ステップＳＰ７２では、「シャッタスピード」に関する情報の表示設定が行われる。この「シャッタスピード」は、再生される画像についてその撮影時のシャッタスピードを意味する。その他の再生画像関連情報情報についても同様である。
【０１８２】
また、ステップＳＰ７３では、「絞り」に関する情報の表示設定が行われ、ステップＳＰ７４では、「ホワイトバランス」に関する情報の表示設定が行われる。
【０１８３】
さらに、その後、「撮影モード」、「フラッシュモード」、「ヒストグラム」、「画像サイズ」、「画質」、「ドライブモード」、「画像番号」、「ズーム情報」、「撮影年月日」、「撮影時間」などの各種の情報（再生画像関連情報）について、それぞれ、その情報を示す文字（ないしは図形、記号等）の有無、色、サイズ、および位置を設定する動作が行われる（ステップＳＰ７５）。
【０１８４】
このような処理によって、ステップＳＰ７０が終了すると、ステップＳＰ８０に進む。
【０１８５】
ステップＳＰ８０（図８）においては、再生画像と関連する表示内容のうち、撮影状態（または再生状態）でＥＶＦ４に表示すべき内容についてのカスタマイズ処理が行われる。
【０１８６】
図１８は、このステップＳＰ８０の詳細を示すフローチャートである。ステップＳＰ８０のカスタマイズ処理は、ステップＳＰ５０の処理と同様であるが、再生画像関連情報に関するカスタマイズ処理である点と、その処理対象情報の表示先デバイスがＥＶＦ４である点とにおいて、ステップＳＰ５０の処理と相違する。
【０１８７】
図１８に示すように、まず、ステップＳＰ８１において、ステップＳＰ８２以降の処理を行うべきか否かを判定する。具体的には、ＥＶＦ４において再生画像が表示されない場合には、ステップＳＰ８２以降の処理を行う必要がないものと判断して、ステップＳＰ８２以降の処理を行うことなくこのサブルーチンを終了して次のステップＳＰ９０に進む。一方、ＥＶＦ４において再生画像が表示される場合には、ステップＳＰ８２に進み、その表示内容のカスタマイズ処理を行う。なお、ＥＶＦ４において再生画像が表示されるか否かは、各フラグＦＥＰの値に基づいて判定すればよい。
【０１８８】
ステップＳＰ８２以降においては、ＥＶＦ４に表示される「再生画像関連情報（再生画像に関連する情報）」のうちの各種の情報の表示設定が順次に行われる。
【０１８９】
まず、ステップＳＰ８２では、「シャッタスピード」に関する情報の表示設定が行われる。この「シャッタスピード」は、再生される画像についての撮影時のシャッタスピードを意味する。その他の再生画像関連情報情報についても同様である。
【０１９０】
また、ステップＳＰ８３では、「絞り」に関する情報の表示設定が行われ、ステップＳＰ８４では、「ホワイトバランス」に関する情報の表示設定が行われる。
【０１９１】
さらに、その後、「撮影モード」、「フラッシュモード」、「ヒストグラム」、「画像サイズ」、「画質」、「ドライブモード」、「画像番号」、「ズーム情報」、「撮影年月日」、「撮影時間」などの各種の情報（再生画像関連情報）について、それぞれ、その情報を示す文字（ないしは図形、記号等）の有無、色、サイズ、および位置を設定する動作が行われる（ステップＳＰ８５）。
【０１９２】
このような処理によって、ステップＳＰ８０が終了すると、ステップＳＰ９０に進む。
【０１９３】
次のステップＳＰ９０においては、（３）画像情報に依存しない表示内容のカスタマイズ処理が行われる。
【０１９４】
図１９は、このステップＳＰ９０の詳細を示すフローチャートである。ステップＳＰ９０においては、「バッテリ残量表示」および「背景画像」に関する設定が行われる。これらは、画像情報に依存しない表示内容（項目）である。
【０１９５】
このうち、「バッテリ残量表示」の設定に関しては、上記のステップＳＰ５２（図１４）における「シャッタスピード」の設定と同様に行われる。具体的には、バッテリ残量表示の表示色、表示サイズ、および表示位置が決定される。
【０１９６】
また、この「バッテリ残量表示」はＬＣＤ５およびＥＶＦ４のそれぞれに表示可能であるため、ＬＣＤ５およびＥＶＦ４のそれぞれについて別個に設定動作が行われる。具体的には、ステップＳＰ９１においては、ＬＣＤ５における「バッテリ残量表示」の設定動作が行われ、ステップＳＰ９２においては、ＥＶＦ４における「バッテリ残量表示」の設定動作が行われる。
【０１９７】
また、ステップＳＰ９３，９４においては、「背景画像」に関する設定動作が行われる。
【０１９８】
ここで、背景画像は、表示領域Ｒ１〜Ｒ４に対する背景領域に表示される画像を意味する。背景画像は、図４３に示されるように、ＬＣＤ５およびＥＶＦ４において表示領域Ｒ１〜Ｒ４が表示されていない部分ＢＰに表示される。
【０１９９】
たとえば、様々な情報を表示する文字等を部分ＢＰに黒色で表示したい場合には、背景画像として比較的明るい色（たとえば白色）を背景画像として選択しておけば、黒色の文字を判別しやすくすることができる。
【０２００】
図２０は、ステップＳＰ９３の詳細動作を示すフローチャートである。図２０に示すように、まず、ステップＳＰ９３ａにおいて、ＬＣＤ５における背景画像の設定変更を行うか否かについてのユーザからの入力を受け付けた後、その入力に応じて、分岐処理（ステップＳＰ９３ｂ）を行う。背景画像を変更しない場合にはステップＳＰ９３の処理を終了し、背景画像を変更する場合にはステップＳＰ９３ｃに進む。
【０２０１】
ステップＳＰ９３ｃにおいては、ＲＯＭ３０ｂないしメモリカード９０などに格納されている背景画像の中から所望の画像が背景画像として選択される。この選択動作は、所定の選択画面（図示せず）およびコントロールボタン７を用いて行われる。
【０２０２】
そして、ステップＳＰ９３ｄにおいて、選択した画像を背景画像として良い旨が確認されると、その選択画像のファイル名が、背景画像を示すものとして所定の記憶領域に格納される。
【０２０３】
以上の動作によって背景画像が決定されると、このステップＳＰ９３の処理を終了して次のステップＳＰ９４に進む。
【０２０４】
ステップＳＰ９４は、ＥＶＦ４における背景画像の設定変更を行う処理である。ステップＳＰ９４は、ステップＳＰ９３と同様の処理であるので、ここではその詳細説明を省略する。
【０２０５】
以上のようにして、撮影モード（撮影状態）における情報表示に関するカスタマイズ処理が終了する。なお、ここでは詳述しないが、同様にして再生モード（再生状態）における情報表示に関するカスタマイズ処理も行うことが可能である。
【０２０６】
＜登録処理＞
撮影モードでの情報表示に関するカスタマイズ処理が終了すると、ステップＳＰ１００に進む。
【０２０７】
このステップＳＰ１００（図８）においては、ステップＳＰ９０までで作成されたカスタマイズデータを登録する処理が行われる。
【０２０８】
図２１は、ステップＳＰ１００の詳細動作を示すフローチャートである。
【０２０９】
まず、図２１のステップＳＰ１１１において、現在行われているカスタマイズ処理が、撮影モードでの情報表示に関するものなのか、あるいは、再生モードでの情報表示に関するものなのかを判定して分岐処理を行う。具体的には、撮影モードについてのカスタマイズ処理が行われていると判定される場合には、ステップＳＰ１２１に進み、再生モードについてのカスタマイズ処理が行われていると判定される場合には、ステップＳＰ１３１に進む。この判定処理（分岐処理）は、ステップＳＰ３での選択を反映したフラグＦＪの値を参照することによって実現される。
【０２１０】
ここでは、撮影モードでの情報表示に関するカスタマイズ処理が行われていると判定されるものとして、ステップＳＰ１２１に進む。
【０２１１】
ステップＳＰ１２１では、ユーザに対して、この内容で登録してよいか否かを確認する。具体的には、図４４に示すように、「撮影状態情報表示設定として登録しますか？」などの文字と選択肢（「Ｙｅｓ」、「Ｎｏ」）とを設けた画面をＬＣＤ５に表示して、ユーザからの選択入力を受け付ける。ユーザは、コントロールボタン７を用いることによって、いずれかの選択肢を選択することができる。
【０２１２】
登録を拒否する入力がなされた場合には、ステップＳＰ１１２に進む。ステップＳＰ１１２においては、最初の設定画面に戻るか否かを設定する画面（図示せず）とコントロールボタン７とを利用して、最初の設定画面に戻るか否かがユーザによって入力される。最初の設定画面に戻る旨が入力された場合には、ステップＳＰ３（図７）に戻り、上述の処理を再度行う。また、最初の設定画面に戻らない旨が入力された場合には、ステップＳＰ１（図７）に戻り、カスタマイズ処理を解除して通常の撮影モード（または再生モード）に復帰する。
【０２１３】
一方、登録を承諾する旨がユーザによって入力された場合には、ステップＳＰ１２２に進む。
【０２１４】
ステップＳＰ１２２においては、上記の設定内容をデジタルカメラ１に登録するのか、メモリカード９０に登録するのかを選択する。この選択は、図４５のような画面を用いて行われる。
【０２１５】
ステップＳＰ１２３の分岐処理において、デジタルカメラ１に登録する旨が選択されたことが判定されるとステップＳＰ１２４に進み、メモリカード９０に登録する旨が選択されたことが判定されるとステップＳＰ１２７に進む。
【０２１６】
ステップＳＰ１２４においては、この設定内容に付与すべき登録番号が選択される。ユーザは、図４６のような画面とコントロールボタン７とを利用して登録番号を選択する。ステップＳＰ１２５においては、登録番号の確認作業が行われる。登録番号を是認するか否かを確認する画面（図示せず）がＬＣＤ５に表示されると、ユーザはその画面とコントロールボタン７とを用いて選択入力を行う。そして、この確認作業の結果、登録番号が確定されると、ステップＳＰ１２６に進む。ステップＳＰ１２６においてはデジタルカメラ１のＲＯＭ３０ｂへの登録処理が行われる。これにより、撮影モードに関する上記の設定内容がデジタルカメラ１の内部の記録部に記録される。
【０２１７】
ステップＳＰ１２７においては、設定内容に付与すべき登録番号が選択される。この登録番号は、メモリカード（メディア）９０に固有の登録番号である。ユーザは、図４７のような画面とコントロールボタン７とを利用して登録番号を選択する。ステップＳＰ１２８においては、登録番号の確認作業が行われる。登録番号を是認するか否かを確認する画面（図示せず）がＬＣＤ５に表示されると、ユーザはその画面とコントロールボタン７とを用いて選択入力を行う。そして、この確認作業の結果、登録番号が確定されると、ステップＳＰ１２９に進む。ステップＳＰ１２９においてはメモリカード９０への登録処理が行われる。これにより、撮影モードに関する上記の設定内容がメモリカード９０に記録される。
【０２１８】
また、再生モードでの情報表示に関するカスタマイズ処理が行われていると判定された場合には、ステップＳＰ１３１〜ステップＳＰ１３９の処理が実行される。ステップＳＰ１３１〜ステップＳＰ１３９は、それぞれ、ステップＳＰ１２１〜ステップＳＰ１２９と同様の処理であるので、ここでは、その詳細説明を省略する。
【０２１９】
以上のようにして、カスタマイズデータが作成されて、登録される。
【０２２０】
＜カスタマイズ後の表示など＞
上記のカスタマイズ処理が終了すると、再びステップＳＰ１に戻る。ステップＳＰ１において撮影モードが選択されているときには、ＥＶＦ４およびＬＣＤ５の表示画面は、上記の撮影モードに関するカスタマイズ処理結果を反映したものに変更される。なお、ステップＳＰ１において再生モードが選択されているときには、再生モードに関するカスタマイズ処理結果が反映された表示が行われる。また、再生モードに関するカスタマイズ処理が未だ行われていないときには、初期状態の設定値で各種の表示が行われる。
【０２２１】
あるいは、直近に登録されたカスタマイズデータだけでなくそれ以前に登録されていたカスタマイズデータを含む複数のカスタマイズデータの中から、所望のカスタマイズデータを呼び出すこともできる。具体的には、デジタルカメラ１の所定の操作（たとえば、メニューボタン６およびコントロールボタン７を用いた操作）によって、別の登録番号のカスタマイズデータを呼び出すことによって、別の設定結果を反映した設定に変更することが可能である。
【０２２２】
なお、上記においては、各設定を所定の順序で行う場合を示したが、より柔軟に、設定済みの項目など飛ばしつつ設定処理を進めること、あるいは、前の項目に戻ったり、後ろの項目に移動したりすることも可能である。具体的には、ユーザは、決定ボタン７Ｃを押した状態を維持したまま離さずに、別のカーソルボタン７Ｕ，７Ｄ，７Ｌ，７Ｒを押して離すことによって、別の項目に移動させることができる。
【０２２３】
より具体的には、決定ボタン７Ｃを押して離さない状態のまま、上下方向のカーソルボタン７Ｕ，７Ｄを押して離すことによって、複数のステップＳＰ１０，ＳＰ２０，ＳＰ３０，ＳＰ４０，ＳＰ５０，ＳＰ６０，ＳＰ７０，ＳＰ８０，ＳＰ９０，ＳＰ１００の最初の画面の相互間を移動することができる。また、決定ボタン７Ｃを押して離さない状態のまま、左右方向のカーソルボタン７Ｌ，７Ｄを押して離すことによって、各ステップＳＰ１０，ＳＰ２０，ＳＰ３０，ＳＰ４０，ＳＰ５０，ＳＰ６０，ＳＰ７０，ＳＰ８０，ＳＰ９０内のそれぞれにおける詳細設定用の各画面の相互間を移動することができる。
【０２２４】
たとえば、図２３の画面が表示された状態（ステップＳＰ１１）で、決定ボタン７Ｃを押したまま上向きのカーソルボタン７Ｄを押して離すと、次のステップＳＰ２０における最初の画面（図２７）が表示された状態（ステップＳＰ２１）に進む。あるいは、図２３の画面が表示された状態（ステップＳＰ１１）で、決定ボタン７Ｃを押したまま右向きのカーソルボタン７Ｒを押して離すと、次の画面（図２４）が表示された状態（ステップＳＰ１３）に進む。
【０２２５】
＜Ｂ２．データ作成装置１０１を用いた設定動作＞
＜概要＞
つぎに、デジタルカメラ１の表示部４，５での表示内容を、デジタルカメラ１自身の表示部４，５および操作部４５を用いてカスタマイズするのではなく、データ作成装置１０１のモニタ（表示部）１０５およびマウス（操作部）１０７などを用いてカスタマイズする場合について説明する。データ作成装置１０１を用いることによって、上述したような各種の設定の全てについてのカスタマイズ処理を行うことが可能である。これによれば、上記のデジタルカメラ１を用いたカスタマイズ処理に比べて、さらに容易にカスタマイズデータを作成することができる。
【０２２６】
このカスタマイズ処理において、ユーザは、キーボードの文字キーを用いて文字コマンド（たとえば、スクリプト）を入力するのではなく、表示部１０５に表示された画面上の位置をマウスなどのポインティングデバイスで指定することによって、種々の変更指示等を与える。種々の変更指示としては、たとえば、サイズの変更指示、位置の変更指示、色の変更指示等が挙げられる。これらの変更指示は、マウスを用いたドラッグアンドドロップ操作およびクリック操作等、あるいは、これらの組合せにより実現される。
【０２２７】
ここで、マウスなどのポインティングデバイスなどを用いて表示部１０５の表示画面における位置を指定することに基づくコマンドを、「位置指定コマンド」（ないし「ポインティングコマンド」）と称するものとする。この位置指定コマンドは、コマンドを表現する文字等を入力することに基づく文字コマンドと対立する概念を有するコマンドである。なお、マウスの他、キーボードの上下左右の矢印キーを用いることなどによって、位置指定コマンドを入力することもできる。
【０２２８】
データ作成装置１０１は、このような位置指定コマンドに応じて、デジタルカメラ１の表示画面をカスタマイズするカスタマイズデータを作成する。以下では、このようなカスタマイズデータの作成処理について説明する。
【０２２９】
図４８は、データ作成装置１０１を用いたカスタマイズ動作を示すフローチャートである。図４８を参照しながら、この動作について説明する。
【０２３０】
まず、ステップＳＰ２１０において、撮影モード（撮影状態）における情報表示のカスタマイズを行うのか、あるいは再生モード（再生状態）における情報表示のカスタマイズを行うのかが決定される。すなわち、カスタマイズ種別の選択動作が行われる。
【０２３１】
カスタマイズ処理用のプログラムＰＧ１（図５）を実行すると、まず、図４９に示すような設定用の画面がデータ作成装置１０１の表示部１０５に表示される。ステップＳＰ２１０の選択処理は、この設定用の画面を用いて行われる。
【０２３２】
この設定用の画面においては、画面の左半分においては、カスタマイズ処理における各種の選択肢が表示され、画面の右半分においては、カスタマイズ結果を模擬的に示すプレビュー画面が表示される。言い換えれば、選択項目表示領域が画面の左半分に存在しており、プレビュー表示領域（プレビュー画面）が画面の右側半部に存在している。また、プレビュー表示領域には、デジタルカメラ１の表示画面が模擬的に表示されている。具体的には、デジタルカメラ１のＥＶＦ４の表示状態を模擬的に示す領域（ＥＶＦ画面とも称する）と、デジタルカメラ１のＬＣＤ５の表示状態を模擬的に示す領域（ＬＣＤ画面とも称する）とが、デジタルカメラ１の表示画面として表示されている。
【０２３３】
図４９においては、「撮影状態情報表示カスタマイズ」と「再生状態情報表示カスタマイズ」との２つの選択肢が画面の左側に表示されている。ユーザは、マウス（ポインティングデバイス）１０７を用いて、いずれかの選択肢を選択する。より具体的には、表示部１０５に表示されているカーソル（ポインタ）ＣＳを所望の選択肢の上に移動させ、マウスのボタンをクリックすることによって所望の選択肢を選択すればよい。そして、所望の選択肢をダブルクリックするか、あるいは「次へ」の文字が記載された画面右下のボタンＢＴをクリックすれば、選択肢の選択が確定される。なお、これに限定されず、キーボード１０６の上下方向の矢印キーおよびエンターキー等を用いて所望の選択肢を選択するようにしてもよい。
【０２３４】
この選択によって、撮影モード（撮影状態）における情報表示のカスタマイズを行うか、再生モード（再生状態）における情報表示のカスタマイズを行うかが決定される。そして、この選択状態を示すフラグＦＪの値が設定される。
【０２３５】
以下では、「撮影状態情報表示カスタマイズ」が選択されたものと仮定して説明を続ける。なお、「再生状態情報表示カスタマイズ」が選択された場合にも同様の処理が行われる。
【０２３６】
＜表示領域のカスタマイズ＞
次に、ステップＳＰ２２０において、４つの表示領域Ｒ１〜Ｒ４の設定動作が行われる。この設定動作は、上記のステップＳＰ１０，ＳＰ２０，ＳＰ３０，ＳＰ４０に対応する動作である。
【０２３７】
具体的には、この設定動作は、図５０に示すような設定用の画面を用いて行われる。図５０の画面は、ステップＳＰ２１０の選択動作が終了すると表示部１０５に表示される。
【０２３８】
図５０の画面の右半分においては図４９の画面と同様に、カスタマイズ結果を模擬的に示すプレビュー画面が表示される一方で、図５０の画面の左半分においては、図４９の画面と異なる選択項目が表示されている。
【０２３９】
具体的には、図５０の画面の左半分においては、表示画像の設定に関する４つの項目が表示されている。詳細には、ライブビュー画像をＬＣＤ５およびＥＶＦ４のそれぞれに表示するか否かを選択する２つの項目と、再生画像をＬＣＤ５およびＥＶＦ４のそれぞれに表示するか否かを選択する２つの項目とが表示されている。図５０においては、いずれの項目についてもオフ（「ＯＦＦ」）が選択された状態である。
【０２４０】
ユーザは、マウス１０７などを用いて、各項目についてオン（ＯＮ）とオフ（ＯＦＦ）とのいずれかの選択肢を選択することができる。
【０２４１】
画面の右半分のプレビュー画面は、このユーザの選択に応じて変化する。たとえば、図５１に示すように、ユーザの選択操作によってライブビュー画像の「ＬＣＤ」の項目が「ＯＮ」にされると、ライブビュー画像の表示領域Ｒ１がプレビュー画面のＬＣＤ画面内に表示される。他の表示領域Ｒ２，Ｒ３，Ｒ４についても同様である。
【０２４２】
さらに、ユーザは、マウス操作によって表示領域Ｒ１の大きさおよび位置を変更することができる。具体的には、プレビュー画面（図５１）内の矩形状の表示領域Ｒ１の４つの頂点のいずれかをクリックした上でドラッグアンドドロップ操作を行うことによって、表示領域Ｒ１の大きさを任意に変更することができる。また、マウスのクリック操作で表示領域Ｒ１を選択した上でドラッグアンドドロップ操作を行えば、表示領域Ｒ１の画面内での位置を変更することができる。
【０２４３】
このように、画面の右半分のプレビュー画面は、このユーザの操作に応じて変化し、カスタマイズ処理を反映したカスタマイズ結果を表示する。
【０２４４】
同様に、他の項目についても設定を行うと、たとえば、図５２のような画面となる。
【０２４５】
図５２においては、ユーザの選択操作によって、ライブビュー画像の「ＬＣＤ」の項目が「ＯＮ」にされ、ライブビュー画像の「ＥＶＦ」の項目が「ＯＮ」にされ、再生画像の「ＬＣＤ」の項目が「ＯＮ」にされ、再生画像の「ＥＶＦ」の項目が「ＯＦＦ」にされた状態を示している。そして、このようなユーザの選択操作の結果として、プレビュー画面においては、ＥＶＦ画面内にライブビュー画像の表示領域Ｒ２が表示され、プレビュー画面のＬＣＤ画面内にはライブビュー画像の表示領域Ｒ１および再生画像の表示領域Ｒ３が表示されている。さらに、各領域Ｒ１〜Ｒ３の大きさおよび位置は、ユーザの操作によって図に示されるような状態に変更されている。具体的には、ＬＣＤ画面における表示領域Ｒ１はその左上隅に配置され、表示領域Ｒ３はその右下隅に配置されている。また、ＥＶＦ画面における表示領域Ｒ２はその中央に配置されている。さらに、ＬＣＤ画面において、ライブビュー画像の表示領域Ｒ１は、再生画像の表示領域Ｒ３よりも大きなものとなっている。また、ＥＶＦ画面においては、ライブビュー画像の表示領域Ｒ２は、全領域の大部分を占めるような大きさを有している。
【０２４６】
ユーザは、表示領域Ｒ１〜Ｒ４の表示の有無、大きさおよび位置を所望の状態に設定した後、マウス操作によってボタンＢＴを押下する。これにより、各表示領域Ｒ１〜Ｒ４についての設定動作が終了し、次の表示内容のカスタマイズ処理等に移行する。なお、逆に、カスタマイズ種別の選択画面（図４９）に戻りたいときには、「戻る」の文字が記載されたボタンＢＫを押下すればよい。
【０２４７】
ここにおいて、ユーザは、デジタルカメラ１に設けられた小さなコントロールボタン７ではなく、比較的大きなマウス１０７を用いた操作によって、カスタマイズ処理を行うことができるので、比較的容易にカスタマイズ処理を行うことが可能である。また、各表示項目がＬＣＤ５及びＥＶＦ４よりも大きな表示部１０５に表示されているので、ユーザは比較的快適な操作性を得ることができる。特に、ここでは４つの設定項目が比較的大きな表示部１０５に同時に表示されており、これら４つの設定項目について並行してカスタマイズ処理を進めることが可能である。より詳細には、ユーザは、一旦プレビュー画面に表示された各表示領域Ｒ１〜Ｒ４の大きさおよび位置を、その相互の関係を見ながら、上述したようなマウス操作によって任意の順序で設定することができるので、非常に操作性が高い。
【０２４８】
＜表示内容のカスタマイズ＞
次に、ステップＳＰ２３０において、様々な表示内容についてのカスタマイズ処理が行われる。具体的には、これらの表示内容は、大きく以下の５つの項目に分類される。
【０２４９】
▲１▼ライブビュー画像と関連する表示内容のうち、ＬＣＤ５に表示される内容についてのカスタマイズ処理、
▲２▼ライブビュー画像と関連する表示内容のうち、ＥＶＦ４に表示される内容についてのカスタマイズ処理、
▲３▼再生画像と関連する表示内容のうち、ＬＣＤ５に表示される内容についてのカスタマイズ処理、
▲４▼再生画像と関連する表示内容のうち、ＬＣＤ５に表示される内容についてのカスタマイズ処理、および
▲５▼画像に依存しない表示内容についてのカスタマイズ処理、
の５つを設定する。
【０２５０】
これらは、それぞれ、上記の各ステップＳＰ５０，ＳＰ６０，ＳＰ７０，ＳＰ８０，ＳＰ９０で設定された内容に対応している。
【０２５１】
具体的には、図５３（および図５４）に示される設定用の画面を用いて、各項目の設定が行われる。図５３の設定用画面は、ステップＳＰ２２０におけるボタンＢＴの押下に応じて、表示部１０５に表示される。
【０２５２】
図５３の画面の右半分においては図４９の画面と同様に、カスタマイズ結果を模擬的に示すプレビュー画面が表示される一方で、図５０の画面の左半分においては、図４９（図５１、図５２）の画面と異なる選択項目が表示されている。
【０２５３】
この図５３の画面は、登録動作（ステップＳＰ２４０）にも用いられる画面である。この画面の左半分においては、「表示情報の設定」および「登録」という２つのタブＴＢ１，ＴＢ２が表示されている。ここでは、各表示内容のカスタマイズ処理を行うため、「表示情報の設定」という文字が記載されたタブＴＢ１をマウスでクリックする。なお、後述するように、登録動作（ステップＳＰ２４０）を行うときには、「登録」という文字が記載されたタブＴＢ２をマウスでクリックすればよい。
【０２５４】
タブＴＢ１をクリックするマウス操作に応じて、図５３に示すような、表示画像の設定に関する複数の項目が画面左側に表示される。具体的には、画面左側には表示項目が２つの列に区別して表示されている。最も左側の列には、５つの選択項目が示されている。５つの項目は、具体的には、撮影情報に関する「ＬＣＤ表示」および「ＥＶＦ情報」の２つの項目と、再生情報に関する「ＬＣＤ表示」および「ＥＶＦ情報」の２つの項目と、「その他の情報」の項目とで構成されている。
【０２５５】
ユーザは、これらの５つの項目のうちの所望の選択肢を選択することによって、上記の▲１▼〜▲５▼のいずれのカスタマイズ処理を行うかを決定することができる。ここでは、最上段の「ＬＣＤ表示」が選択されたものとする。
【０２５６】
また、この最左列よりも中央寄りに位置するもう１つの列においては、この選択に応じた詳細な設定項目が表示される。ここでは、撮影情報に関するＬＣＤ表示についてのカスタマイズ処理（すなわち、上記の▲１▼ライブビュー画像と関連する表示内容のうち、ＬＣＤ５に表示される内容についてのカスタマイズ処理）における各項目が表示されている。具体的には、「シャッタスピード」、「絞り」、「ＷＢ（ホワイトバランス）」、「撮影モード」、「フラッシュ」、「ヒストグラム」、「画像サイズ」などの各項目が表示される。なお、この中央寄りの列の最下欄ＤＴの下向きの矢印は、表示しきれない項目がさらに下側に存在していることを表現している。ユーザはこの矢印をマウスでクリック操作することによって、後続の別項目を順次に表示させることができる。このような繰り上がり表示によって、シャッタスピードなど上側に表示されていた各項目は表示されなくなり、その代わりに、表示しきれない項目が未だ上方にも存在していることを表現する上向きの矢印（図示せず）が上側の欄ＵＴに表示される。
【０２５７】
ユーザは、この列に表示される複数の項目の中から、設定対象としたい項目をマウスのクリック操作によって選択する。
【０２５８】
具体的には、まず、各項目の表示の有無を設定する。図５３の初期状態においては、プレビュー画面においては全ての項目が表示されていない状態となっている。一方、図５４においては、ユーザのクリック操作によって「シャッタスピード」について「ＯＮ」が選択されている。このとき、図５４に示されるように、右側のプレビュー画面においては、シャッタスピード情報の表示例としての文字「１／９０」が表示される。
【０２５９】
つぎに、ユーザは、この文字「１／９０」の大きさおよび位置をプレビュー画面を見ながら変更する。具体的には、文字「１／９０」が表示された領域Ｒ１１をクリック操作で選択した状態でドラッグアンドドロップ操作を行えば、領域Ｒ１１の画面内での位置を変更することができる。また、領域Ｒ１１をクリック操作で選択した状態で、画面の左上の項目「色」の右側に存在する上向き矢印および下向き矢印のいずれかをマウスでクリックすることによって、領域Ｒ１１内の文字の表示色を順次に変更することができる。表示フォントの大きさについても同様である。具体的には、領域Ｒ１１をクリック操作で選択した状態で、画面の左上の項目「フォント」の右側に存在する上向き矢印および下向き矢印のいずれかをマウスでクリックすることによって、領域Ｒ１１内の文字の表示フォントの大きさを順次に変更することができる。なお、文字「１／９０」の領域Ｒ１１の４つの頂点のいずれかをクリックした上でドラッグアンドドロップ操作を行うことによっても、領域Ｒ１１内の文字の大きさを変更することができる。
【０２６０】
同様に、他の項目についても同様にしてカスタマイズ処理を行うことができる。これによって、上記の▲１▼の処理（ライブビュー画像と関連する表示内容のうち、ＬＣＤ５に表示される内容についてのカスタマイズ処理）を行うことができる。
【０２６１】
さらに、同様にして、最上段の「ＬＣＤ表示」の直下の「ＥＶＦ表示」を選択すれば、上記の▲２▼の処理（ライブビュー画像と関連する表示内容のうち、ＥＶＦ４に表示される内容についてのカスタマイズ処理）を行うことができる。
【０２６２】
また、その下の「再生情報」の直下に表示された「ＬＣＤ表示」を選択すれば、上記の▲３▼の処理（再生画像と関連する表示内容のうち、ＬＣＤ５に表示される内容についてのカスタマイズ処理）を行うことができる。
【０２６３】
さらにその下の「ＥＶＦ表示」を選択すれば、上記の▲４▼の処理（再生画像と関連する表示内容のうち、ＬＣＤ５に表示される内容についてのカスタマイズ処理）を行うことができる。
【０２６４】
また、最下段の「その他の情報」を選択すれば、上記の▲５▼の処理（画像に依存しない表示内容についてのカスタマイズ処理）を行うことができる。
【０２６５】
以上のようにして、様々な表示内容についてのカスタマイズ処理（表示情報の設定作業）が行われる。
【０２６６】
ここにおいて、ユーザは、マウス１０７等を用いた位置指定コマンドの入力によってカスタマイズ処理を行うことができるので、比較的容易にカスタマイズ処理を行うことが可能である。また、各表示項目がＬＣＤ５及びＥＶＦ４よりも大きな表示部１０５に表示されているので、ユーザは比較的快適な操作性を得ることができる。特に、ここでは多数の設定項目が比較的大きな表示部１０５に同時に表示されており、これら多数の設定項目について並行してカスタマイズ処理を進めることが可能である。より詳細には、ユーザは、一旦プレビュー画面に表示された複数の表示領域Ｒ１１等の大きさおよび位置を、その相互の関係を見ながら、上述したようなマウス操作によって任意の順序で設定することができるので、非常に操作性が高い。また、プレビュー画面においては、ＥＶＦ画面およびＬＣＤ画面の両画面を同時に確認しながら各表示項目の設定の有無を行うことなどが可能である。したがって、各項目を両画面のいずれに配置するかを決める際などにおける操作性が高い。
【０２６７】
＜登録処理＞
次に、ステップＳＰ２４０において、登録処理が行われる。具体的には、図５３（および図５４）に示される設定用の画面において、「登録」という文字が記載されたタブＴＢ２をマウスでクリックする。これにより、登録作業を行うことが可能になる。なお、表示領域の設定画面（図５０，図５１）に戻りたいときには、「戻る」の文字が記載されたボタンＢＫを押下すればよい。
【０２６８】
タブＴＢ２をクリックするマウス操作に応じて、登録番号を設定するための選択肢が画面左側に表示される（図５６等参照）。
【０２６９】
このとき、データ作成装置１０１は、データの登録先を自動的に検出して、その検出結果に応じて画面の表示内容を変更する。
【０２７０】
具体的には、図５５に示すようにデータ作成装置１０１とデジタルカメラ１とが通信ケーブル等を介して通信可能に接続されていることが検出された場合には、データ作成装置１０１はデータの登録先をデジタルカメラ１に決定して、図５６のような画面を表示部１０５に表示する。
【０２７１】
また、図５７に示すように、データ作成装置１０１のカードドライブ１０４ｂにメモリカード（メディア）９０が挿入されていることが検出された場合には、データ作成装置１０１はデータの登録先をメモリカード９０に決定して、図５８のような画面を表示部１０５に表示する。
【０２７２】
さらに、データ作成装置１０１とデジタルカメラ１とが接続されており、かつ、カードドライブ１０４ｂにメモリカード（メディア）９０が挿入されている状態であることが検出された場合には、データ作成装置１０１はデータの登録先をデジタルカメラの内部メモリ（設定記憶手段）とメモリカード９０との双方から選択できるように、図５９のような画面を表示部１０５に表示する。また、デジタルカメラ１がデータ作成装置１０１に接続されており、かつ、その接続先のデータ作成装置１０１にメモリカード９０が挿入されているときも同様である。
【０２７３】
ユーザは、図５６、図５８，図５９のような画面において、領域Ｒ２１のうち所望の登録番号が表示された部分をマウスでダブルクリックする。これにより、データ作成装置１０１において作成されたカスタマイズデータが、選択肢に応じた登録先に転送されて記憶される。
【０２７４】
たとえば、図５６などの画面を用いて、デジタルカメラ１の内部メモリ内に転送されることが指示された場合には、上記のカスタマイズ結果を示すデータ（すなわちカスタマイズデータ）が、データ作成装置１０１に接続されたデジタルカメラ１に対して転送され、デジタルカメラ１の内部メモリ（具体的には、ＲＯＭ３０ｂ）に記憶される。あるいは、図５８などの画面を用いて、メモリカード（メディア）９０に転送されることが指示された場合には、カスタマイズデータがそモリカード９０に対して転送され、そのメモリカード９０に記憶される。なお、いずれの場合も、カスタマイズデータは、データ作成装置１０１の記憶部１０３においても記憶される。
【０２７５】
図６０は、カスタマイズデータの一例を示す図である。上記のカスタマイズ処理によって、図６０に示すような形式のカスタマイズデータが作成されて、記憶される。このカスタマイズデータにおいては、上記の各ステップで設定されたデータ（たとえば、表示の有無を示すフラグデータ、サイズデータ、位置データ、色データなど）が格納されている。
【０２７６】
また、転送された各カスタマイズデータは、その登録番号に応じたデータファイル名が付与され、登録先において互いに別個のデータファイルとして識別された状態で記憶される。言い換えれば、このプログラムＰＧ１においては、複数のカスタマイズデータが、異なるカスタマイズ結果を表すものとして互いに区別された状態で取り扱われる。
【０２７７】
登録されたデータは、デジタルカメラ１の適宜の操作（たとえば、メニューボタン６およびコントロールボタン７を用いた操作）によって呼び出すことができる。これにより、デジタルカメラ１の内部メモリに記憶されたデータ、デジタルカメラ１に再挿入されたメモリカード９０に記憶されたデータのいずれをも呼び出すことが可能である。言い換えれば、カスタマイズデータの授受は、デジタルカメラ１とデータ作成装置１０１とを直接的に接続して行うことも可能であり、メモリカード９０を介して行うことも可能である。
【０２７８】
以上のように、データ作成装置１０１を用いたカスタマイズ処理によれば、デジタルカメラ１のＥＶＦ４および／またはＬＣＤ５の各表示画面のカスタマイズを、デジタルカメラ１のＥＶＦ４および／またはＬＣＤ５よりも大きな表示部１０５を用い、かつ、マウスなどのポインティングデバイス等を用いた位置指定コマンドの入力により行うことが可能である。したがって、デジタルカメラのＥＶＦ４およびＬＣＤ５の各表示画面を容易にカスタマイズすることが可能である。より詳細には、マウス１０７などのポインティングデバイスを用いてカスタマイズ処理を行うことによれば、スクリプトなどの文字コマンドを入力する必要がないので、操作性が高い。また、比較的大きな表示部１０５を用いることによれば、カスタマイズ処理に関連する情報が比較的大きく表示されるので、情報が見やすくなる。
【０２７９】
また、データ作成装置１０１の表示部１０５は、ＥＶＦ４および／またはＬＣＤ５に比べて大きな画素サイズ（たとえば、１２８０画素×９６０画素の画素サイズ）を有しているので、ＥＶＦ４および／またはＬＣＤ５に比べてさらに多くの情報を表示することができる。これにより、操作性がさらに向上する。
【０２８０】
さらに、デジタルカメラ１に設けられた小さなコントロールボタン７ではなく、比較的大きなマウス１０７を用いているので、操作しやすい。
【０２８１】
また、データ作成装置１０１は、デジタルカメラの複数の表示部（具体的には、ＥＶＦ４およびＬＣＤ５）のそれぞれにおける表示画面をカスタマイズすることができるので、操作性が高い。言い換えれば、デジタルカメラに複数の表示部が存在する場合であっても、これら複数の表示部における表示画面を容易にカスタマイズすることができる。特に、データ作成装置１０１の表示部１０５においては、デジタルカメラ複数の表示部（具体的には、ＥＶＦ４およびＬＣＤ５）についての各プレビュー画面が同時に表示されているので、複数の表示部における表示状態を同時に確認しながらカスタマイズ処理を行うことができる。
【０２８２】
さらに、データ作成装置１０１によるカスタマイズ処理においては、複数の設定項目に関する設定作業を同一種類の表示画面を用いて行うことが可能である。言い換えれば、データ作成装置１０１によるカスタマイズ処理においては、デジタルカメラ自身の操作部４５によるカスタマイズ処理に比べて、複数の設定項目に関する設定作業における設定順序の制約が少ない。これにより、高い操作性を得ることができる。
【０２８３】
たとえば、図５２における表示領域の設定において、図５２に示すような種類の表示画面を用いて、複数の表示領域Ｒ１〜Ｒ４の大きさおよび位置をそれぞれカスタマイズすることができる。あるいは、図５４における複数の項目（シャッタスピード、絞り等）の表示設定において、図５４に示すような種類の表示画面を用いて、各設定項目の表示状態をカスタマイズすることができる。
【０２８４】
また、データ作成装置１０１は、ケーブル等を用いて接続されたデジタルカメラ１に対して、直接的にカスタマイズデータを転送して記憶させるので、デジタルカメラ１の表示画面のカスタマイズ結果を容易にデジタルカメラに反映させることができる。あるいは、データ作成装置１０１は、メモリカード（記録媒体）９０に対してカスタマイズデータを転送して記憶させ、そのメモリカード９０をデジタルカメラ１に挿入することができるので、そのカスタマイズ結果を容易にデジタルカメラに反映させることができる。
【０２８５】
＜Ｃ．その他＞
以上、この発明の実施の形態について説明したが、この発明は上記説明した内容のものに限定されるものではない。
【０２８６】
たとえば、上記実施形態においては、図５２および図５４などに示すように、表示領域の設定と表示情報との設定とを別の種類の表示画面を用いて行う場合を例示しているが、これに限定されない。たとえば、図５４の再左列ＬＬにおいて、表示領域Ｒ１〜Ｒ４の表示の有無を設定する項目をも表示しておき、各表示領域Ｒ１〜Ｒ４の大きさ位置等を右側のプレビュー画面を用いて変更するようにしてもよい。これによれば、より少ない種類の表示画面を用いて様々な設定を行うことが可能であるので、より操作性を向上させることができる。
【０２８７】
また、上記実施形態におけるカスタマイズデータは、共通のデータ形式を利用可能な複数のデジタルカメラで共用することができる。この場合、デジタルカメラ１において、別のデジタルカメラ向けに作成されたカスタマイズデータを利用することもできる。これによれば、カスタマイズデータの有効活用を図ることができる。
【０２８８】
なお、上述した具体的実施形態には以下の構成を有する発明が含まれている。
【０２８９】
（１）請求項１ないし請求項４のいずれかに記載のプログラムにおいて、
前記データ作成手段は、複数のカスタマイズデータを作成することが可能であることを特徴とするプログラム。
【０２９０】
これによれば、デジタルカメラ側において、複数のカスタマイズデータのいずれかを選択することによって、様々な表示画面を即時に実現することができる。
【０２９１】
【発明の効果】
以上のように、請求項１ないし請求項５に記載の発明によれば、デジタルカメラの表示画面のカスタマイズを、デジタルカメラの表示部よりも大きな表示手段を用い、かつ、その表示手段における位置を指定することに基づくコマンドの入力により行うことが可能である。したがって、デジタルカメラの表示画面を容易にカスタマイズすることが可能である。
【０２９２】
特に、請求項２に記載の発明によれば、コンピュータで作成したカスタマイズデータを記録媒体を介してデジタルカメラに記憶させることができるので、コンピュータを用いたカスタマイズ結果を。容易にデジタルカメラに反映させることができる。
【０２９３】
また、請求項３に記載の発明によれば、コンピュータで作成したカスタマイズデータをデジタルカメラに転送して記憶させることができるので、コンピュータを用いたカスタマイズ結果を容易にデジタルカメラに反映させることができる。
【０２９４】
さらに、請求項４に記載の発明によれば、デジタルカメラに複数の表示部が存在する場合であっても、これら複数の表示部における表示画面を容易にカスタマイズすることができる。
【図面の簡単な説明】
【図１】デジタルカメラの外観構成を示す正面図である。
【図２】デジタルカメラの外観構成を示す上面図である。
【図３】デジタルカメラの外観構成を示す背面図である。
【図４】デジタルカメラの内部機能を示すブロック図である。
【図５】デジタルカメラシステムを示す概念図である。
【図６】データ作成装置の機能的構成を示す機能ブロック図である。
【図７】カスタマイズ処理の全体の流れを示すフローチャートである。
【図８】カスタマイズ処理の全体の流れを示すフローチャートである。
【図９】カスタマイズ処理の一部の流れを示すフローチャートである。
【図１０】カスタマイズ処理の一部の流れを示すフローチャートである。
【図１１】カスタマイズ処理の一部の流れを示すフローチャートである。
【図１２】カスタマイズ処理の一部の流れを示すフローチャートである。
【図１３】カスタマイズ処理の一部の流れを示すフローチャートである。
【図１４】カスタマイズ処理の一部の流れを示すフローチャートである。
【図１５】カスタマイズ処理の一部の流れを示すフローチャートである。
【図１６】カスタマイズ処理の一部の流れを示すフローチャートである。
【図１７】カスタマイズ処理の一部の流れを示すフローチャートである。
【図１８】カスタマイズ処理の一部の流れを示すフローチャートである。
【図１９】カスタマイズ処理の一部の流れを示すフローチャートである。
【図２０】カスタマイズ処理の一部の流れを示すフローチャートである。
【図２１】カスタマイズ処理の一部の流れを示すフローチャートである。
【図２２】カスタマイズ処理に用いられる表示画面を示す図である。
【図２３】カスタマイズ処理に用いられる表示画面を示す図である。
【図２４】カスタマイズ処理に用いられる表示画面を示す図である。
【図２５】カスタマイズ処理に用いられる表示画面を示す図である。
【図２６】カスタマイズ処理に用いられる表示画面を示す図である。
【図２７】カスタマイズ処理に用いられる表示画面を示す図である。
【図２８】カスタマイズ処理に用いられる表示画面を示す図である。
【図２９】カスタマイズ処理に用いられる表示画面を示す図である。
【図３０】カスタマイズ処理に用いられる表示画面を示す図である。
【図３１】カスタマイズ処理に用いられる表示画面を示す図である。
【図３２】カスタマイズ処理に用いられる表示画面を示す図である。
【図３３】カスタマイズ処理に用いられる表示画面を示す図である。
【図３４】カスタマイズ処理に用いられる表示画面を示す図である。
【図３５】カスタマイズ処理に用いられる表示画面を示す図である。
【図３６】カスタマイズ処理に用いられる表示画面を示す図である。
【図３７】カスタマイズ処理に用いられる表示画面を示す図である。
【図３８】カスタマイズ処理に用いられる表示画面を示す図である。
【図３９】カスタマイズ処理に用いられる表示画面を示す図である。
【図４０】カスタマイズ処理に用いられる表示画面を示す図である。
【図４１】カスタマイズ処理に用いられる表示画面を示す図である。
【図４２】カスタマイズ処理に用いられる表示画面を示す図である。
【図４３】カスタマイズ処理に用いられる表示画面を示す図である。
【図４４】カスタマイズ処理に用いられる表示画面を示す図である。
【図４５】カスタマイズ処理に用いられる表示画面を示す図である。
【図４６】カスタマイズ処理に用いられる表示画面を示す図である。
【図４７】カスタマイズ処理に用いられる表示画面を示す図である。
【図４８】データ作成装置を用いたカスタマイズ動作を示すフローチャートである。
【図４９】データ作成装置によるカスタマイズ処理に用いられる表示画面を示す図である。
【図５０】データ作成装置によるカスタマイズ処理に用いられる表示画面を示す図である。
【図５１】データ作成装置によるカスタマイズ処理に用いられる表示画面を示す図である。
【図５２】データ作成装置によるカスタマイズ処理に用いられる表示画面を示す図である。
【図５３】データ作成装置によるカスタマイズ処理に用いられる表示画面を示す図である。
【図５４】データ作成装置によるカスタマイズ処理に用いられる表示画面を示す図である。
【図５５】データ作成装置とデジタルカメラとの接続状態を示す図である。
【図５６】データ作成装置によるカスタマイズ処理に用いられる表示画面を示す図である。
【図５７】メモリカードがデータ作成装置に挿入されている状態を示す図である。
【図５８】データ作成装置によるカスタマイズ処理に用いられる表示画面を示す図である。
【図５９】データ作成装置によるカスタマイズ処理に用いられる表示画面を示す図である。
【図６０】カスタマイズデータの一例を示す図である。
【符号の説明】
１　デジタルカメラ
４　ＥＶＦ
５　ＬＣＤ
６　メニューボタン
７　コントロールボタン
９０　メモリカード
１００　デジタルカメラシステム
１０１　データ作成装置（コンピュータ）
１０４　メディアドライブ
１０５　表示部
１０６　キーボード
１０７　マウス
１０９　記録媒体
ＰＧ１　プログラム
【図１】
2004104335.tif 000003
【図２】
2004104335.tif 000004
【図３】
2004104335.tif 000005
【図４】
2004104335.tif 000006
【図５】
2004104335.tif 000007
【図６】
2004104335.tif 000008
【図７】
2004104335.tif 000009
【図８】
2004104335.tif 000010
【図９】
2004104335.tif 000011
【図１０】
2004104335.tif 000012
【図１１】
2004104335.tif 000013
【図１２】
2004104335.tif 000014
【図１３】
2004104335.tif 000015
【図１４】
2004104335.tif 000016
【図１５】
2004104335.tif 000017
【図１６】
2004104335.tif 000018
【図１７】
2004104335.tif 000019
【図１８】
2004104335.tif 000020
【図１９】
2004104335.tif 000021
【図２０】
2004104335.tif 000022
【図２１】
2004104335.tif 000023
【図２２】
2004104335.tif 000024
【図２３】
2004104335.tif 000025
【図２４】
2004104335.tif 000026
【図２５】
2004104335.tif 000027
【図２６】
2004104335.tif 000028
【図２７】
2004104335.tif 000029
【図２８】
2004104335.tif 000030
【図２９】
2004104335.tif 000031
【図３０】
2004104335.tif 000032
【図３１】
2004104335.tif 000033
【図３２】
2004104335.tif 000034
【図３３】
2004104335.tif 000035
【図３４】
2004104335.tif 000036
【図３５】
2004104335.tif 000037
【図３６】
2004104335.tif 000038
【図３７】
2004104335.tif 000039
【図３８】
2004104335.tif 000040
【図３９】
2004104335.tif 000041
【図４０】
2004104335.tif 000042
【図４１】
2004104335.tif 000043
【図４２】
2004104335.tif 000044
【図４３】
2004104335.tif 000045
【図４４】
2004104335.tif 000046
【図４５】
2004104335.tif 000047
【図４６】
2004104335.tif 000048
【図４７】
2004104335.tif 000049
【図４８】
2004104335.tif 000050
【図４９】
2004104335.tif 000051
【図５０】
2004104335.tif 000052
【図５１】
2004104335.tif 000053
【図５２】
2004104335.tif 000054
【図５３】
2004104335.tif 000055
【図５４】
2004104335.tif 000056
【図５５】
2004104335.tif 000057
【図５６】
2004104335.tif 000058
【図５７】
2004104335.tif 000059
【図５８】
2004104335.tif 000060
【図５９】
2004104335.tif 000061
【図６０】
2004104335.tif 000062